(57)【要約】      （修正有）【課題】効果的な保留先読み連続予告演出を実現することにより、遊技者の遊技に対する興趣を向上させることができる遊技機を提供する。【解決手段】保留先読み連続予告演出を実行可能で、第２始動記憶に係る第２変動パターンによる変動表示ゲームを、第１始動記憶に係る第１変動パターンによる変動表示ゲームに優先して実行する遊技機において、連続変動パターンによる変動表示ゲーム（保留先読み予告を伴う変動表示ゲーム）の実行中であって、この連続変動パターンを設定する契機となった第１始動記憶に係る変動パターンによる変動表示ゲームが開始される前に、第２始動権利が新たに発生し、この第２始動権利に基づく抽選の結果が特定結果（大当たり）でない場合に、この第２始動権利に係る変動パターンを、設定された連続変動パターンと擬似的に一体の変動パターンとする。【選択図】図２２
2010194166.tif 000002
【特許請求の範囲】
【請求項１】
遊技領域に設けられた第１始動口と、
遊技球が入賞しやすい状態と遊技球が入賞しにくい若しくは入賞しない状態とに変換される第２始動口と、
前記第１始動口に遊技球が入賞したことに伴い発生する第１始動権利又は前記第２始動口に遊技球が入賞したことに伴い発生する第２始動権利に基づいて当たり抽選を実行する抽選手段と、
前記第１始動権利又は前記第２始動権利に基づく当たり抽選の結果に基づいて第１変動パターン又は第２変動パターンを設定する変動パターン設定手段と、
前記変動パターン設定手段により設定された第１変動パターン又は第２変動パターンで変動表示ゲームを実行する変動表示装置と、
第１始動権利又は第２始動権利をそれぞれ所定の上限数まで第１始動記憶又は第２始動記憶として保留する保留手段と、
前記第１始動記憶又は前記第２始動記憶に係る変動パターンによる変動表示ゲームの実行を順次指示する変動表示指示手段と、
前記抽選の結果が特定結果となる場合に、大入賞口を所定の態様で開放する特別遊技状態を発生させることにより遊技者に利益を付与する利益付与手段と、を備える遊技機であって、
前記変動表示指示手段は、前記第２始動記憶に係る第２変動パターンによる変動表示ゲームを、前記第１始動記憶に係る第１変動パターンによる変動表示ゲームに優先して実行するように指示する優先指示手段を有し、
前記変動パターン設定手段は、前記第１始動記憶に係る抽選結果が当たりの場合に、この第１始動記憶より以前に保留され、この第１始動記憶に係る第１変動パターンによる変動表示ゲームに先立って変動表示ゲームが実行されることとなる第１又は第２始動記憶に係る第１又は第２変動パターンを、相互に関連性のある連続変動パターンに変更する連続変動パターン設定手段を有し、
この連続変動パターン設定手段は、前記連続変動パターンによる変動表示ゲームの実行中であって、この連続変動パターンを設定する契機となった前記第１始動記憶に係る変動パターンによる変動表示ゲームが開始される前に、前記第２始動権利が新たに発生し、この第２始動権利に基づく抽選の結果が前記特定結果でない場合に、この第２始動権利に係る変動パターンを、前記連続変動パターンと擬似的に一体の変動パターンとすることを特徴とする遊技機。
【請求項２】
前記連続変動パターン設定手段は、前記連続変動パターンによる変動表示ゲームの実行中であって、この連続変動パターンを設定する契機となった前記第１始動記憶に係る変動パターンによる変動表示ゲームが開始される前に、前記第２始動権利が新たに発生し、この第２始動権利に基づく抽選の結果が前記特定結果である場合に、この第２始動権利に係る変動パターンを、前記連続変動パターンによる残り変動表示ゲーム数に応じて分割し、擬似的に複数の変動表示ゲームを生じさせる変動パターンとすることを特徴とする請求項１に記載の遊技機。
【請求項３】
前記連続変動パターン設定手段は、前記連続変動パターンによる変動表示ゲームの実行中であって、この連続変動パターンを設定する契機となった前記第１始動記憶に係る変動パターンによる変動表示ゲームが開始される前に、前記第２始動権利が新たに発生し、この第２始動権利に基づく抽選の結果が前記特定結果となり、前記利益付与手段により発生した特別遊技状態が終了した後に、前記連続変動パターンを設定する契機となった第１始動記憶に係る第１変動パターンによる変動表示ゲームに先立って変動表示ゲームが実行されることとなる第１又は第２始動記憶に係る第１又は第２変動パターンを、新たな連続変動パターンに変更することを特徴とする請求項２に記載の遊技機。
【請求項４】
前記連続変動パターン設定手段によって設定された連続変動パターンのゲーム数を報知する連続変動数表示装置を備えることを特徴とする請求項３に記載の遊技機。
【請求項５】
前記変動パターン設定手段は、前記第１又は第２変動パターンの１つを所定数に分割し、擬似的に複数の変動表示ゲームを生じさせる変動パターンとする擬似連続変動パターン設定手段を有し、
前記連続変動数表示装置は、前記擬似連続変動パターン設定手段によって設定された擬似連続変動パターンのゲーム数を報知することを特徴とする請求項１から４のいずれか一項に記載の遊技機。
【発明の詳細な説明】
【技術分野】
【０００１】
本発明は、始動入賞により発生する始動権利に基づいて当たり抽選を実行する抽選手段と、抽選結果が特定結果となる場合に大入賞口を所定の態様で開放する特別遊技状態を発生させることにより遊技者に利益を付与する利益付与手段と、を備える遊技機に関する。特に、保留先読み連続予告演出を実行可能なパチンコ遊技機に関する。
【背景技術】
【０００２】
一般的なデジパチタイプの遊技機は、遊技球が始動口に入賞すること（始動入賞）に基づいて大当たり抽選を実行し、大当たりの当否を判定する。そして、大当たり抽選に当選した場合に、特別図柄表示装置（以下、特図表示器）に大当たりに対応する特定の図柄の組合せ（複数図柄の組合せの他、単一の図柄又はランプの点灯を含む）を表示し、大入賞口（アタッカー等）を規定回数だけ開放して遊技球の入賞を容易化することにより、遊技者に対して利益を付与する。
【０００３】
このようなパチンコ遊技機では、図柄変動中又は特別遊技状態（大当たり状態）中に遊技球が始動口に入賞した場合、その入賞により発生した始動権利は始動記憶として上限数（例えば、４個）まで記憶（保留）されるようになっている。以下の説明において、ｎ番目の入賞により発生した始動権利の記憶（始動記憶）を保留ｎとして表すこととする。
始動入賞により発生した始動権利が保留される場合でも、この始動権利に基づく大当たり抽選は、遊技球が始動口に入賞したタイミングで実行される。そして、その抽選結果（大当たり又はハズレ）は始動記憶に対応付けて記憶される。
【０００４】
また、通常状態において遊技球が入賞可能な特図１始動口と、時短状態において遊技球の入賞が容易化される特図２始動口とを設け、それぞれの始動入賞に対応して特図変動表示ゲーム（特図１変動表示ゲーム又は特図２変動表示ゲーム）を実行させるようにした遊技機が提案されている（例えば、特許文献１）。このような遊技機では、特図ごとに特図変動表示ゲームを表示する特図変動表示器が設けられ、また、特図ごとに始動権利が記憶（保留）されるようになっている。
ここで、時短状態では、特図２始動口への遊技球の入賞が容易化されるため、特図２始動記憶が上限数となりやすい。そして、特図２始動記憶が上限数となっていると、新たな特図２始動入賞により発生する特図２始動権利を保留することはできないため無効となってしまう。
そこで、特許文献１では、特図２始動入賞により発生する始動権利ができるだけ有効となるように、特図１変動表示ゲームに優先して特図２変動表示ゲームを実行するようにしている。
【０００５】
近年では、保留された始動権利に基づく大当たり抽選の結果が大当たりであること、すなわち保留された始動権利（保留玉）に係る変動表示ゲームにおいて大当たりとなることを予告する演出機能を搭載した遊技機が提案されている（例えば、特許文献２）。
具体的には、大当たり抽選に当選した時点で保留されている始動権利に係る変動表示ゲーム（例えば、保留４で大当たりの場合は保留１〜４の４回にわたる変動表示ゲーム、変動中の変動表示ゲームを含める場合もある）において相互に関連性のある演出を連続して発生させる保留先読み連続予告演出（以下、保留先読み予告）が実行される。この保留先読み予告によれば、保留内での大当たりに対する期待感を段階的に増幅させることができる。
【０００６】
また、１回の変動表示ゲームにおいて、特定の図柄の並びで一時的に停止した後、再び図柄変動と停止を行い、擬似的に複数回変動表示ゲームが行われているように見せる予告演出（擬似連続予告）も知られている（例えば、特許文献３）。
【先行技術文献】
【特許文献】
【０００７】
【特許文献１】特開２００７−２３６５４０号公報
【特許文献２】特開２００２−３６０８５９号公報
【特許文献３】特開２００５−２６１７１１号公報
【発明の概要】
【発明が解決しようとする課題】
【０００８】
しかしながら、特許文献１に記載のパチンコ遊技機に、特許文献２に記載の保留先読み予告を適用しようとすると以下の問題が生じる虞がある。
すなわち、複数の特図１始動記憶に対して保留先読み予告が設定された場合、この保留先読み予告を伴う特図１変動表示ゲーム中に特図２始動口に入賞があると、保留先読み予告を設定されていない特図２変動表示ゲームが優先して実行されるため、予め設定されていた保留先読み予告による演出内容が途中で途切れてしまう。
【０００９】
また、特図変動表示ゲームを開始するごとに保留先読み予告を設定するようにすれば、演出内容が途中で途切れるのを防止できるかもしれないが、保留先読み予告を伴うゲーム数は特図２始動入賞により変動するので、この保留先読み予告に係るゲーム数を遊技者に報知することはできない。そのため、保留先読み予告により何ゲーム先の変動表示ゲームが大当たりとなる可能性が高いのか遊技者に予め認識させることはできないので、効果的な予告演出とはいえない。
逆に、保留先読み予告に係る当初のゲーム数を遊技者に報知するようにした場合、特図２始動入賞により保留先読み予告を伴うゲーム数が変動すると、報知されたゲーム数と異なることになる上、報知矛盾による大当たり確定演出でもないため、遊技者に違和感や不快感を与えてしまう。
【００１０】
本発明は、効果的な保留先読み連続予告演出を実現することにより、遊技者の遊技に対する興趣を向上させることができる遊技機を提供することを目的とする。
【課題を解決するための手段】
【００１１】
上記課題を解決するため、請求項１に記載の発明は、
遊技領域に設けられた第１始動口と、
遊技球が入賞しやすい状態と遊技球が入賞しにくい若しくは入賞しない状態とに変換される第２始動口と、
前記第１始動口に遊技球が入賞したことに伴い発生する第１始動権利又は前記第２始動口に遊技球が入賞したことに伴い発生する第２始動権利に基づいて当たり抽選を実行する抽選手段と、
前記第１始動権利又は前記第２始動権利に基づく当たり抽選の結果に基づいて第１変動パターン又は第２変動パターンを設定する変動パターン設定手段と、
前記変動パターン設定手段により設定された第１変動パターン又は第２変動パターンで変動表示ゲームを実行する変動表示装置と、
第１始動権利又は第２始動権利をそれぞれ所定の上限数まで第１始動記憶又は第２始動記憶として保留する保留手段と、
前記第１始動記憶又は前記第２始動記憶に係る変動パターンによる変動表示ゲームの実行を順次指示する変動表示指示手段と、
前記抽選の結果が特定結果となる場合に、大入賞口を所定の態様で開放する特別遊技状態を発生させることにより遊技者に利益を付与する利益付与手段と、を備える遊技機であって、
前記変動表示指示手段は、前記第２始動記憶に係る第２変動パターンによる変動表示ゲームを、前記第１始動記憶に係る第１変動パターンによる変動表示ゲームに優先して実行するように指示する優先指示手段を有し、
前記変動パターン設定手段は、前記第１始動記憶に係る抽選結果が当たりの場合に、この第１始動記憶より以前に保留され、この第１始動記憶に係る第１変動パターンによる変動表示ゲームに先立って変動表示ゲームが実行されることとなる第１又は第２始動記憶に係る第１又は第２変動パターンを、相互に関連性のある連続変動パターンに変更する連続変動パターン設定手段を有し、
この連続変動パターン設定手段は、前記連続変動パターンによる変動表示ゲームの実行中であって、この連続変動パターンを設定する契機となった前記第１始動記憶に係る変動パターンによる変動表示ゲームが開始される前に、前記第２始動権利が新たに発生し、この第２始動権利に基づく抽選の結果が前記特定結果でない場合に、この第２始動権利に係る変動パターンを、前記連続変動パターンと擬似的に一体の変動パターンとすることを特徴とする。
【００１２】
請求項２に記載の発明は、請求項１に記載の遊技機において、
前記連続変動パターン設定手段は、前記連続変動パターンによる変動表示ゲームの実行中であって、この連続変動パターンを設定する契機となった前記第１始動記憶に係る変動パターンによる変動表示ゲームが開始される前に、前記第２始動権利が新たに発生し、この第２始動権利に基づく抽選の結果が前記特定結果である場合に、この第２始動権利に係る変動パターンを、前記連続変動パターンによる残り変動表示ゲーム数に応じて分割し、擬似的に複数の変動表示ゲームを生じさせる変動パターンとすることを特徴とする。
【００１３】
請求項３に記載の発明は、請求項２に記載の遊技機において、
前記連続変動パターン設定手段は、前記連続変動パターンによる変動表示ゲームの実行中であって、この連続変動パターンを設定する契機となった前記第１始動記憶に係る変動パターンによる変動表示ゲームが開始される前に、前記第２始動権利が新たに発生し、この第２始動権利に基づく抽選の結果が前記特定結果となり、前記利益付与手段により発生した特別遊技状態が終了した後に、前記連続変動パターンを設定する契機となった第１始動記憶に係る第１変動パターンによる変動表示ゲームに先立って変動表示ゲームが実行されることとなる第１又は第２始動記憶に係る第１又は第２変動パターンを、新たな連続変動パターンに変更することを特徴とする。
【００１４】
請求項４に記載の発明は、請求項３に記載の遊技機において、
前記連続変動パターン設定手段によって設定された連続変動パターンのゲーム数を報知する連続変動数表示装置を備えることを特徴とする。
【００１５】
請求項５に記載の発明は、請求項１から４のいずれか一項に記載の遊技機において、
前記変動パターン設定手段は、前記第１又は第２変動パターンの１つを所定数に分割し、擬似的に複数の変動表示ゲームを生じさせる変動パターンとする擬似連続変動パターン設定手段を有し、
前記連続変動数表示装置は、前記擬似連続変動パターン設定手段によって設定された擬似連続変動パターンのゲーム数を報知することを特徴とする。
【発明の効果】
【００１６】
本発明によれば、第１始動入賞に基づいて連続変動パターンを設定する（保留先読み連続予告を行う）ことが決定された場合、その後、優先消化される第２始動入賞があっても、表面上はその入賞時点での始動記憶数に対応した回数だけ保留先読み予告が行われることとなるので、遊技者に違和感を与えることがない。
したがって、保留先読み予告に係るゲーム数を遊技者に報知することに伴う問題を解消できるので、効果的な保留先読み連続予告演出を実現でき、遊技者の遊技に対する興趣を向上させることができる。
【図面の簡単な説明】
【００１７】
【図１】実施形態に係る遊技機の正面図である。
【図２】実施形態に係る遊技機の遊技盤を示す正面図である。
【図３】実施形態に係る遊技機の制御系を示すブロック図である。
【図４】メイン処理の一例について示すフローチャートである。
【図５】タイマ割込処理の一例について示すフローチャートである。
【図６】特図ゲーム処理の一例について示すフローチャートである。
【図７】特図１ゲーム処理の一例について示すフローチャートである。
【図８】特図２ゲーム処理の一例について示すフローチャートである。
【図９】特図ゲーム分岐処理の一例について示すフローチャートである。
【図１０】遊技機の遊技状態を説明するための状態遷移図である。
【図１１】大当たり種類の一例について示す説明図である。
【図１２】大当たり当選時の内訳の一例について示す説明図である。
【図１３】当たり終了後に移行する遊技状態の一例について示す説明図である。
【図１４】ステージ・モード演出の一例について示す説明図である。
【図１５】飾り特図始動記憶表示の一例を示す説明図である。
【図１６】保留先読み予告を伴う変動表示ゲームの一例について示す説明図である。
【図１７】図１６に示す一連の変動表示ゲーム進行に係る飾り特図始動記憶表示の遷移状態を示す説明図である。
【図１８】図１６、図１７に対応するタイミングチャートである。
【図１９】変動パターン一体化処理の一例について示すフローチャートである。
【図２０】保留先読み予告を伴う変動表示ゲーム中に、第２始動入賞（ハズレ）が発生したときの変動表示ゲームの一例について示す説明図である。
【図２１】図２０に示す一連の変動表示ゲーム進行に係る飾り特図始動記憶表示の遷移状態を示す説明図である。
【図２２】図１９、図２０に対応するタイミングチャートである。
【図２３】変動パターン分割処理の一例について示すフローチャートである。
【図２４】保留先読み予告を伴う変動表示ゲーム中に、第２始動入賞（当たり）が発生したときの変動表示ゲームの一例について示す説明図である。
【図２５】図２４に示す一連の変動表示ゲーム進行に係る飾り特図始動記憶表示の遷移状態を示す説明図である。
【図２６】図２４、図２５に対応するタイミングチャートである。
【図２７】擬似連続予告の具体例について示す説明図である。
【発明を実施するための形態】
【００１８】
以下、本発明の実施形態について図面を参照して説明する。
ここでは、本発明に係る遊技機の適例としてのパチンコ遊技機について説明を行う。
【００１９】
図１は本発明を適用した遊技機１００の正面図であり、図２は遊技機１００に備わる遊技盤１を示す正面図である。
【００２０】
図１に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。
【００２１】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、を有する。
【００２２】
前面枠本体１３０は、矩形枠状の機枠１１０の前面側をちょうど覆うような概略矩形板状に構成されるとともに、その中央から上端部にわたる部分に、遊技盤１を嵌め込んで収容するための方形状の開口部が形成されている。そして、前面枠本体１３０に収容された遊技盤１の前面が前面枠本体１３０の開口部から前側に臨むようになっている。
すなわち、遊技盤１は、前面枠本体１３０に嵌め込まれることで前面枠１２０に取り付けられている。
【００２３】
前面枠本体１３０の遊技盤１が嵌め込まれた開口部、すなわち、前面枠本体１３０の中央より少し下側から上端部にわたる部分には、前面枠本体１３０の前側を覆うクリア部材保持枠１４０が配置されている。遊技盤１の前面とクリア部材保持枠１４０に嵌め込まれたクリア部材としてのガラス板との間で、遊技盤１の前面に設けられたガイドレール２に囲まれた部分が、遊技球が発射されて流下する遊技領域１ａとされている。
【００２４】
クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の遊技領域１ａの前側を開放可能となっている。
クリア部材保持枠１４０には、前面枠本体１３０の開口部をほぼ閉塞するように、該開口部に嵌め込まれた遊技盤１との間に遊技球が流下可能な遊技領域１ａとなる間隔を開けて二重のガラス板が固定されている。そして、クリア部材保持枠１４０において、遊技機１００の前側からガラス板を介して遊技盤１の前面側の少なくとも遊技領域１ａの部分が視認可能となっている。
【００２５】
クリア部材保持枠１４０の前面であって、ガラス板が固定されて遊技領域１ａを視認可能とする部分の周囲には、内部にＬＥＤ１６１（図３参照）を備える枠側連続予告表示装置（枠装飾装置）７２、音声を出力するスピーカ１４５、１４５などが設けられている。なお、枠側連続予告表示装置７２は、保留先読み予告や擬似連続予告を様々な発光態様により実現する。
【００２６】
前面枠本体１３０に軸着されたクリア部材保持枠１４０の開放端側となる前面側から見て右側の端部の前面には、施錠装置の一部をなす鍵穴１４３が形成されている。
鍵穴１４３は、前面枠本体１３０の施錠装置の一部であるとともに、クリア部材保持枠１４０の施錠装置の一部でもあって、鍵穴１４３に鍵を入れて一方（例えば、左回り）に回すと前面枠本体１３０の施錠が解除され、他方（例えば、右回り）に回すとクリア部材保持枠１４０の施錠が解除されるようになっている。
【００２７】
前面枠本体１３０の前面側のクリア部材保持枠１４０の下側には、発射操作ユニット１５０が取り付けられている。
発射操作ユニット１５０は、左右側部のうちの一側部となる左側部を前面枠本体１３０に軸着されて、左右方向に回動して開閉自在な開閉パネル１５１とその下の下部パネル１５２とからなる。
開閉パネル１５１は、排出された遊技球を貯留するとともに、遊技球を発射する発射装置（図示略）に遊技球を送る上皿１５３を有している。上皿１５３の周囲には、遊技者が操作可能な演出用ボタン（図示略）が設けられている。
【００２８】
開閉パネル１５１の下側の下部パネル１５２には、上皿１５３に収容しきれない遊技球を収容する下皿１５４及び灰皿１５５と、遊技領域１ａに向けての遊技球の発射操作を行うとともに、該遊技領域１ａに遊技球を発射する際の発射勢を調節するための操作ハンドル１５６、音声を出力するスピーカ１４５などが設けられている。
【００２９】
図２に示すように、遊技盤１の遊技領域１ａには、センターケース２００、普図始動ゲート２１、特図１始動口２４、特図２始動口２５、第１大入賞口２６、一般入賞口２７、・・・、風車と呼ばれる打球方向変換部材（図示略）、多数の障害釘（図示略）などが配設されている。
また、遊技領域１ａの最下端部中央にはアウト球を回収するためのアウト穴２９が設けられており、センターケース２００の右上方には遊技領域１ａに発射された遊技球の発射勢を吸収する発射勢吸収部２８がガイドレール２の内側面に沿って設けられている。
【００３０】
遊技盤１の前面右下であってガイドレール２の外側には、遊技状態表示装置１６０が設けられている。
この遊技状態表示装置１６０には、普図変動表示ゲームを表示する普図表示器２３、特図１変動表示ゲームを表示する特図１表示器２２Ａ、特図２変動表示ゲームを表示する特図２表示器２２Ｂ、普図変動表示ゲームの未処理回数（普図始動記憶数）を表示する普図記憶表示器２０、特図１変動表示ゲームの未処理回数（特図１始動記憶数）を表示する特図１記憶表示器１２、特図２変動表示ゲームの未処理回数（特図２始動記憶数）を表示する特図２記憶表示器１３、特図１／特図２変動表示ゲームにおける結果が２Ｒ当たりか１５Ｒ当たりかを表示する決定ラウンド数表示器１４が設けられている（図３参照）。
なお、普図記憶表示器２０、普図表示器２３、特図１表示器２２Ａ、特図２表示器２２Ｂ、特図１記憶表示器１２、特図２記憶表示器１３、決定ラウンド数表示器１４は、セグメントＬＥＤとして一体に設けられている。
【００３１】
センターケース２００は、遊技領域１ａの略中央に取り付けられ、特図変動表示ゲームの表示領域となる窓部１０ａを有している。このセンターケース２００に形成された窓部１０ａの後方には、液晶表示装置５０が配設されている。
液晶表示装置５０は、例えば、液晶ディスプレイからなる表示部を備え、センターケース２００の窓部１０ａを介して遊技盤１の前面側から表示内容を視認可能となっている。
なお、液晶表示装置５０の代わりに、ＥＬやＣＲＴ等のディスプレイを表示装置として用いるようにしてもよい。
【００３２】
センターケース２００の上部には、前方に庇状に突出した鎧部２３０が設けられている。鎧部２３０は、その前端が遊技領域１ａの前側を規制するガラス板の裏面近傍に配置され、これにより遊技球がセンターケース２００の内側に流入するのを防止している。
鎧部２３０は、その上端部から左下側に傾斜して形成された傾斜面部２３１を具備し、その傾斜面部２３１の中途部に第２大入賞口６１を開閉する可動部材（特別電動役物）６１ｂが設けられている。第２大入賞口６１の内部（入賞領域）には、当該第２大入賞口６１に入った遊技球を検出する第２大入賞口センサ６１ａ（図３参照）が配設されている。
また、傾斜面部２３１の下端部に連続して左側面部２３２が形成され、その左側面部２３２の略中央やや下側部分に、ワープ入口を具備するワープ流路構成部材２４０が設けられている。
【００３３】
本実施形態では、後述する８種類の大当たりのうちの２Ｒ当たり（２Ｒ通常当たり、２Ｒ確変当たり）に当選したときと小当たりに当選したときに、可動部材６１ｂの開閉動作により、第２大入賞口６１が２Ｒ開放されるようになっている。可動部材６１ｂの開閉時間は極めて短時間に設定されているため、賞球はほとんど期待できない。
【００３４】
センターケース２００の右部には、円形窓部から内部のＬＥＤの発光を視認可能に構成された４つの発光部を有する盤側連続予告表示装置７１が設けられている。この盤側連続予告表示装置７１における様々な発光態様の演出により、液晶表示装置５０で実行される変動表示ゲームの演出を装飾するとともに、保留先読み予告や擬似連続予告を実現する。
例えば、４つの発光部７１ａ〜７１ｄが、何ゲームにわたって保留先読み予告を実行するかを示す保留先読み予告に係る連続変動数に対応して点灯／消灯するようなっている。また、擬似連続予告が何回連続して実行されているかを示す擬似連数に対応して点灯／消灯するようになっている。
【００３５】
センターケース２００の左側には、普図始動ゲート２１が設けられている。
普図始動ゲート２１内には、普図始動ゲート２１を通過した遊技球を検出するための普図ゲートセンサ２１ａ（図３参照）が設けられている。遊技領域１ａ内に打ち込まれた遊技球が普図始動ゲート２１を通過して普図ゲートセンサ２１ａにより検出されると、普図変動表示ゲームが普図表示器２３で行われる。
そして、普図変動表示ゲームにおいて特別結果態様が導出されると、普図当たりとなり、後述する可動部材２５ｂの開閉動作により、特図２始動口２５が開放される。
【００３６】
なお、普図変動表示ゲームは、液晶表示装置５０の表示領域の一部に表示するようにしても良く、この場合は、識別図柄（識別情報）として、例えば、数字、記号、キャラクタ図柄などの飾り普通図柄を用い、これを所定時間変動表示させた後、停止表示させることにより行うようにする。
【００３７】
センターケース２００の下側には特図１始動口２４が設けられ、その内部には特図１始動口センサ２４ａ（図３参照）が備えられている。特図１始動口センサ２４ａによって遊技球を検出することに基づいて、特図１変動表示ゲームを開始する特図１始動権利が発生するようになっている。
【００３８】
特図１始動口２４の下部には特図２始動口２５が設けられ、その内部には特図２始動口センサ２５ａ（図３参照）が備えられている。特図２始動口センサ２５ａによって遊技球を検出することに基づいて、特図２変動表示ゲームを開始する特図２始動権利が発生するようになっている。
【００３９】
特図２始動口２５は、左右一対の可動部材（普通電動役物）２５ｂ、２５ｂを具備している。この一対の可動部材２５ｂ、２５ｂは、常時は遊技球の直径程度の間隔をおいて閉じた状態を保持しており、特図１始動口２４により上部が閉塞されることで、特図２始動口２５に遊技球を受け入れ不可能な状態となっている。
一方、普図当たりとなった場合には、駆動装置としての普電ＳＯＬ２５ｃ（図３参照）によって逆「ハ」の字状に所定時間（例えば、０.５秒間）開放され、遊技球を受け入れ可能な状態となる。これにより、特図２始動口２５に遊技球が入賞し易くなるので、特図２変動表示ゲームの始動が容易となる。
【００４０】
特図１変動表示ゲーム及び特図２変動表示ゲームは、特図１表示器２２Ａ及び特図２表示器２２Ｂで実行されるようになっており、複数の識別情報を変動表示したのち、所定の結果態様を停止表示することで、特図１変動表示ゲーム及び特図２変動表示ゲームが行われる。
液晶表示装置５０では、各特図変動表示ゲームに対応させて複数種類の識別情報（例えば、数字、記号、キャラクタ図柄など）を変動表示させる飾り特図変動表示ゲームが実行される。すなわち、液晶表示装置５０は、変動表示装置として、複数の図柄による変動表示ゲームを表示する。
【００４１】
そして、特図１表示器２２Ａ若しくは特図２表示器２２Ｂで実行される特図変動表示ゲームにおいて、特別結果態様（例えば、「７」）が導出され、特図当たり（いわゆる大当たり）となると、特別遊技状態（いわゆる大当たり状態）が発生する。また、これに対応して液晶表示装置５０で実行される飾り特図変動表示ゲームにおいても特別結果態様（例えば、「７７７」等のゾロ目数字の何れか）が導出される。
なお、遊技機１００に特図１表示器２２Ａ及び特図２表示器２２Ｂを備えずに、液晶表示装置５０のみで特図変動表示ゲームを実行するようにしてもよい。
【００４２】
特図２始動口２５の下側には、第１大入賞口２６が設けられている。
第１大入賞口２６は、上端側が手前側に倒れる方向に回動可能なアタッカー形式の開閉扉（特別電動役物）２６ａを具備している。開閉扉２６ｂは、例えば、駆動装置としての第１大入賞口ＳＯＬ２６ｃ（図３参照）により駆動される。第１大入賞口２６の内部（入賞領域）には、当該第１大入賞口２６に入った遊技球を検出する第１大入賞口センサ２６ｃ（図３参照）が配設されている。
特別遊技状態中は、開閉扉２６ｂの開閉動作により、第１大入賞口２６は閉じた状態（遊技者にとって不利な状態）から開いた状態（遊技者にとって有利な状態）に変換され、遊技球の流入が容易となる。
【００４３】
一般入賞口２７には、当該一般入賞口２７に入った遊技球を検出するための一般入賞口センサ２７ａ（図３参照）が配設されている。
遊技を開始することにより遊技領域１ａ内に打ち込まれた遊技球が、一般入賞口２７、・・・、特図２始動口２５、特図１始動口２４、第１大入賞口２６、第２大入賞口６１等の入賞口の何れかに入賞すると、それぞれの入賞口に対応した賞球に関する情報が排出制御装置（図示略）に出力されるようになっている。排出制御装置は、排出装置を制御し、所定数の遊技球を排出する（払い出す）ようになっている。
【００４４】
遊技機１００では、特図１／特図２変動表示ゲームを始動するための始動権利は、それぞれ上限数（例えば、４個）の範囲内で特図始動記憶（保留玉）として記憶可能となっている。
また、特図１変動表示ゲームと特図２変動表示ゲームは同時に実行されることはなく、特図２変動表示ゲームは特図１変動表示ゲームに優先して実行されるようになっている。すなわち、特図１始動記憶と特図２始動記憶の両方がある場合に、特図変動表示ゲームの実行が可能になると、特図２変動表示ゲームが実行されるようになっている。
【００４５】
したがって、遊技開始時、すなわち特図１／特図２始動記憶数が０（保留０）で、特図１／特図２変動表示ゲームが実行されていない状態において、特図１始動口２４に遊技球が入賞すると、特図１始動権利の発生に伴って特図１始動記憶数が１加算される。そして、この特図１始動記憶に係る特図１始動権利に基づいて、直ちに特図１変動表示ゲームが開始され、この際に特図１始動記憶数が１減算される。
【００４６】
また、遊技開始時、すなわち特図１／特図２始動記憶数が０（保留０）で、特図１／特図２変動表示ゲームが実行されていない状態において、特図２始動口２５に遊技球が入賞すると、特図２始動権利の発生に伴って特図２始動記憶数が１加算される。そして、この特図２始動記憶に係る特図２始動権利に基づいて、直ちに特図２変動表示ゲームが開始され、この際に特図２始動記憶数が１減算される。
【００４７】
一方、特図１／特図２変動表示ゲーム中や特別遊技状態中など特図１変動表示ゲームが直ちに開始できない状態において、特図１始動口２４に遊技球が入賞した場合は、特図１始動記憶数が上限数まで１ずつ加算されて特図１始動権利が記憶されることになる。そして、特図１始動記憶数が１以上となっている状態（特図１の保留１〜４）で、特図１変動表示ゲームが開始可能な状態（前回の特図変動表示ゲームが終了、又は特別遊技状態が終了し、特図２始動記憶がない状態）となると、特図１始動記憶数が１減算されるとともに、記憶されていた特図１始動権利に基づいて特図１変動表示ゲームが開始される。
【００４８】
また、特図１／特図２変動表示ゲーム中や特別遊技状態中など特図２変動表示ゲームが直ちに開始できない状態において、特図２始動口２５に遊技球が入賞した場合は、特図２始動記憶数が上限数まで１ずつ加算されて特図２始動権利が記憶されることになる。そして、特図２始動記憶数が１以上となっている状態（特図２の保留１〜４）で、特図２変動表示ゲームが開始可能な状態（前回の特図変動表示ゲームが終了、又は特別遊技状態が終了した状態）となると、特図２始動記憶数が１減算されるとともに、記憶されていた特図２始動権利に基づいて特図２変動表示ゲームが開始される。
【００４９】
なお、特図１始動記憶数は、特図１記憶表示器１２にて表示されるとともに、液晶表示装置５０に飾り特図始動記憶表示として表示される。また、特図２始動記憶数は、特図２記憶表示器１３にて表示されるとともに、液晶表示装置５０に飾り特図始動記憶表示として表示される。
【００５０】
普図変動表ゲームを始動するための始動権利についても、特図始動権利と同様に上限数（例えば、４個）の範囲内で普図始動記憶として記憶可能となっている。普図始動記憶数は、普図記憶表示器２０にて表示されるようになっているが、液晶表示装置５０に表示するようにしてもよい。
【００５１】
それぞれの始動記憶表示器１２、１３、２０は、例えば上下２つのＬＥＤを備えて構成される。そして、始動記憶数が「１」の場合には上のＬＥＤを点灯し、始動記憶数が「２」の場合には下のＬＥＤも点灯する。始動記憶数が「３」の場合には上のＬＥＤを点滅し、始動記憶数が「４」の場合には下のＬＥＤも点滅する。２つのＬＥＤをこのように点灯／点滅させることにより、始動記憶数を判別可能としている。
【００５２】
図３は、遊技機１００の制御系の一部を示すブロック図である。
図３に示すように、遊技機１００は、その制御系として遊技の進行を制御するメイン制御装置としての遊技制御装置３０、この遊技制御装置３０の制御下で各種の演出に関する制御を行うサブ制御装置としての演出制御装置４０とを備えている。
【００５３】
遊技制御装置３０は、ＣＰＵ３１ａ、ＲＡＭ３１ｂ、ＲＯＭ３１ｃ等を有する遊技用マイクロコンピュータ３１、クロック（発振器：ＣＬＫ）３２、入出力Ｉ／Ｆ３３等を備えている。
このうち、ＣＰＵ３１ａは、制御部、演算部を備え、演算制御を行う他、特図や普図の変動表示ゲームに関連する各種乱数なども生成している。
各種乱数には、特図変動表示ゲームの当たり判定用乱数、普図変動表示ゲームの普図当たり判定用乱数、特図変動表示ゲームの停止図柄の決定に用いられる図柄決定用乱数、特図変動表示ゲームにおける基本変動パターン（各種リーチやリーチなしの変動表示における変動表示ゲームの実行時間等を含む）の決定に用いられる変動パターン決定用乱数などが含まれる。
【００５４】
ＲＡＭ３１ｂは、特図１始動口２４に設けられた特図１始動口センサ２４ａ、特図２始動口２５に設けられた特図２始動口センサ２５ａのオン信号などを記憶する記憶領域や、普図始動ゲート２１に設けられた普図ゲートセンサ２１ａのオン信号を記憶する記憶領域、各種乱数の記憶領域、並びに、ＣＰＵ３１ａの作業領域等を備えている。
【００５５】
ＲＯＭ３１ｃには、遊技上の制御プログラムや制御データが書き込まれている他、特図変動表示ゲームの大当たり又は小当たりの当否を判定するための特図当たり判定値を有する特図判定テーブル、普図変動表示ゲームの普図当たりの当否を判定するための普図当たり判定値を有する普図判定テーブルなどが書き込まれている。
【００５６】
入出力Ｉ／Ｆ３３には、図示しないローパスフィルタ及びバッファーゲートを介して、特図１始動口センサ２４ａ、特図２始動口センサ２５ａ、普図ゲートセンサ２１ａ、一般入賞口センサ２７ａ、第１大入賞口センサ２６ａ、第２大入賞口センサ６１ａ等からの各種信号が入力される。そして、これら各種信号は、入出力Ｉ／Ｆ３３により中継されて、ＣＰＵ３１ａに対し出力される。
【００５７】
入出力Ｉ／Ｆ３３には、ＣＰＵ３１ａから出力される各種の制御信号が入力される。そして、これら制御信号は、入出力Ｉ／Ｆ３３を介して、特図２始動口２５の可動部材２５ｂ、２５ｂの駆動手段としての普電ＳＯＬ２５ｃ、第１大入賞口２６を開閉する駆動手段としての第１大入賞口ＳＯＬ２６ｃ、第２第２大入賞口６１を開閉する駆動手段としての第２大入賞口ＳＯＬ６１ｃ、外部情報端子６１１、演出制御装置４０などに出力される。
また、ＣＰＵ３１ａから出力された制御信号は、入出力Ｉ／Ｆ３３を介して、特図１表示器２２Ａ、特図２表示器２２Ｂ、特図１記憶表示器１２、特図２記憶表示器１３、決定ラウンド数表示器１４、普図表示器２３、普図記憶表示器２０などにも出力される。
【００５８】
遊技制御装置３０には、電源供給装置（図示略）から電力が供給されており、その他の装置にも電源供給装置から電力が供給されるようになっている。さらに、電源供給装置には、停電時等の外部からの電力の供給が途絶えた場合でも電力を供給可能とするためのバックアップ電源が備えられ、停電時等に各制御装置の揮発性メモリに保存されたデータの消失を防止するようになっている。
【００５９】
演出制御装置４０は、ＣＰＵ４１ａ、ＲＡＭ４１ｂ、ＲＯＭ４１ｃ、クロック（発振器：ＣＬＫ）４３、入出力Ｉ／Ｆ４４等を備えている。
ＣＰＵ４１ａは、制御部、演算部を備え、遊技制御装置３０から送信された演出制御コマンドを受信して、当該演出制御コマンドの振り分け、スピーカ１４５からの効果音の出力制御、装飾ランプ・ＬＥＤ１６１の発光制御、下桃用モータ４４１ａの駆動制御、第１上桃用ソレノイド（ＳＯＬ）４３１ａの駆動制御、第２上桃用ソレノイド（ＳＯＬ）４３１ｂの駆動制御、第１上桃用モータ４３３ａの駆動制御、第２上桃用モータ４３３ｂの駆動制御、液晶表示装置５０における画像の表示制御等を行う。
【００６０】
ＲＡＭ４１ｂは、各種データの記憶領域や、ＣＰＵ４１ａの作業領域等を備えている。
ＲＯＭ４１ｃは、ＣＰＵ４１ａにより実行される各種制御プログラムや制御データが記憶されている。また、ＲＯＭ４１ｃは、音声ＲＯＭとして、スピーカ１４５から出力される効果音等に係る音データを記憶している。また、ＲＯＭ４１ｃは、図柄ＲＯＭとして、液晶表示装置５０に表示される画像等に係る画像データを記憶している。
なお、ＲＡＭ４１ｂとＲＯＭ４１ｃは、別部材として設けられているが、一体となって第１メモリ（図示略）として設けられてもよい。さらに、第１メモリとＣＰＵ４１ａが一体となって１チップ化されたものであってもよい。
【００６１】
入出力Ｉ／Ｆ４３には、スピーカ１４５、装飾ランプ・ＬＥＤ１６１、下桃用モータ４４１ａ、第１上桃用ＳＯＬ４３１ａ、第２上桃用ＳＯＬ４３１ｂ、第１上桃用モータ４３３ａ、第２上桃用モータ４３３ｂ、第１上桃位置検出センサ４２３ａ、第２上桃位置検出センサ４２３ｂ、下桃位置検出センサ４４１ｑ、演出用ボタンセンサ１５５ａ、ＳＥＬＥＣＴボタンセンサ１５５ｂ、液晶表示装置５０、盤側連続予告表示装置７１、枠側連続予告表示装置７２が接続されている。ＣＰＵ４１ａから出力された制御信号は、入出力Ｉ／Ｆ４３を介して、これらのブロックに出力される。
【００６２】
次に、遊技制御装置３０による遊技制御処理について説明する。この遊技制御処理は、遊技を統括的に制御するメイン処理と、所定時間ごと（例えば、２ｍｓｅｃごと）に行われるタイマ割込処理とからなる。
【００６３】
図４は、メイン処理を説明するためのフローチャートである。このメイン処理は、遊技制御装置３０のＣＰＵ３１ａが、起動直後に、ＲＯＭ３１ｂに記憶されているメイン処理プログラムを読み出して実行することにより実現される。
図４に示すように、メイン処理では、はじめにプログラム開始時の処理として、電源投入時の初期化処理を行い（ステップＳ１）、停電復旧処理を行う（ステップＳ２）。
【００６４】
次に、メインループ処理としてループの処理を行う。このループの処理では、割込みタイマを起動する処理を行って、ＣＴＣ（カウンタ  タイマ  サーキット）を起動する（ステップＳ３）。次に、割込みを禁止する処理を行い（ステップＳ４）、当たり判定用乱数などの乱数の初期値を更新して乱数の時間的な規則性を崩すための初期値乱数更新処理を行う（ステップＳ５）。その後、割込みを許可する処理を行う（ステップＳ６）。
【００６５】
そして、ＲＡＭ３１ｂの停電検査領域をチェックし、停電が発生したか否かの判定を行う（ステップＳ７）。停電検査領域には、停電により遊技機の電源が遮断された場合に、チェックデータが設定されるようになっており、通常時はチェックデータが記憶されていない。よって、このチェックデータの有無を判定することで、停電が発生したか否かを判定することができる。
【００６６】
ステップＳ７において、停電が発生していないと判定した場合は、ステップＳ４に移行し、ステップＳ４〜Ｓ７の処理を繰り返す。
一方、ステップＳ７において、停電が発生したと判定した場合は、停電発生時の処理を行う（ステップＳ８）。停電発生の直後は、バックアップ電源により停電発生時の処理を実行可能な電力が供給されるようになっている。
【００６７】
この停電発生時の処理では、まず、割込みを禁止する処理を行う。そして、全出力ポートをＯＦＦにする処理を行い、停電検査領域をクリアする処理を行う。さらに、停電復旧検査領域に停電復旧検査領域チェックデータをセーブする処理を行った後、ＲＡＭ３１ｂの電源遮断時のチェックサムを算出する処理を行い、ＲＡＭ３１ｂへのアクセスを禁止する処理を行って遊技機の電源遮断を待つ。
このように、停電復旧検査領域に停電復旧検査領域チェックデータをセーブするとともに、電源遮断時のチェックサムを算出することで、電源の遮断の前にＲＡＭ３１ｂに記憶されていた情報が正しくバックアップされているかを電源投入時に判断することができる。
【００６８】
図５は、タイマ割込処理を説明するためのフローチャートである。このタイマ割込処理は、メイン処理のステップＳ６において割込み許可がなされたときに実行される。
図５に示すように、ステップＳ１１では、タイマ割込要求が発生したとき（割込許可がなされたとき）に、レジスタに格納されているデータをＲＡＭ３１ｂに待避する。
ステップＳ１２では、各種センサ（特図１始動口センサ２４ａ、特図２始動口センサ２５ａ、普図ゲートセンサ２１ａ、一般入賞口センサ２７ａなど）からの検出信号を、入出力Ｉ／Ｆ３３を介して入力する。また、各種処理でセットされた出力データをソレノイド（第１大入賞口ＳＯＬ２６ｃ、第２大入賞口ＳＯＬ６１ｃ、普電ＳＯＬ２５ｃ）や表示器２２Ａ、２２Ｂ、２３等に出力する。
【００６９】
ステップＳ１３では、各種処理で送信バッファにセットされたコマンドを演出制御装置４０等に出力する（コマンド送信処理）。
ステップＳ１４では、特図変動表示ゲームにおける特図当たり（大当たり）の当否を判定するための特図当たり判定用乱数、特図変動表示ゲームの停止図柄を決定するための図柄決定用乱数、普図変動表示ゲームにおける普図当たりの当否を判定するための普図当たり判定用乱数を更新する（乱数更新処理１）。
ステップＳ１５では、乱数の時間的な規則性を崩すために乱数の初期値を更新する（初期値乱数更新処理）。
【００７０】
ステップＳ１６では、特図変動表示ゲームに関連した飾り特図変動表示ゲームにおける変動パターンを決定するための変動パターン決定用乱数を更新する（乱数更新処理２）。
ステップＳ１７では、特図１始動口センサ２４ａ、特図２始動口センサ２５ａ、普図ゲートセンサ２１ａ、一般入賞口センサ２７ａ等から検出信号の入力があるか否かを監視する（入賞口ＳＷ監視処理）。
ステップＳ１８では、各入賞口に対応して設けられたセンサ、球切れセンサ、払出球検出センサ、オーバーフローセンサ、枠開放検出センサ（何れも図示略）等からの検出信号に基づいて、異常状態が発生していないかを監視する（エラー監視処理）。
【００７１】
ステップＳ１９では、特図変動表示ゲームに関する処理を行う（特図ゲーム処理）。この特図ゲーム処理についての詳細は後述する。
ステップＳ２０では、普図変動表示ゲームに関する処理を行う（普図ゲーム処理）。
主として、ステップＳ１９の特図ゲーム処理及びステップＳ２０の普図ゲーム処理により、ステップＳ１３において演出制御装置４０等に送信される演出制御コマンドが生成される。
【００７２】
ステップＳ２１では、遊技に関する各種情報を表示する表示器（セグメントＬＥＤ）に関する処理を行う（セグメントＬＥＤ編集処理）。
ステップＳ２２では、外部の管理装置に出力する信号を出力バッファにセットする処理を行う（外部情報編集処理）。
ステップＳ２３では、タイマ割込処理が終了したことを宣言する処理を行う。
ステップＳ２４では、ステップＳ１１でＲＡＭ３１ｂに待避しておいたレジスタのデータを復帰する処理を行う。
ステップＳ２５では、タイマ割込処理が完了し、割込要求を受け付け可能な状態となったことを設定する処理を行う。
【００７３】
図６は、図５の特図ゲーム処理（ステップＳ１９）の一例について示すフローチャートである。この特図ゲーム処理では、特図２始動権利に基づく変動表示ゲームが特図１始動権利に基づく変動表示ゲームに優先して実行されるようになっている。
【００７４】
図６に示すように、ステップＳ１０１では、図５のステップＳ１７（入賞口ＳＷ監視処理）における監視結果（検出信号の有無）に基づいて、特図２始動口２５への入賞（特図２始動入賞）があるか否かを判定する。そして、特図２始動入賞があると判定した場合はステップＳ１０４に移行して、図８に示す特図２ゲーム処理を実行する。一方、特図２始動入賞がないと判定した場合はステップＳ１０２に移行する。
【００７５】
ステップＳ１０２では、特図２始動記憶があるか否かを判定する。そして、特図２始動記憶がある（特図２の保留１〜４）と判定した場合はステップＳ１０４に移行して、図８に示す特図２ゲーム処理を実行する。一方、特図２始動記憶がない（特図２の保留０）と判定した場合はステップＳ１０３に移行して、特図１ゲーム処理を実行する。
【００７６】
図７は、図６の特図１ゲーム処理（ステップＳ１０３）の一例について示すフローチャートである。
図７に示すように、ステップＳ１１１では、図５のステップＳ１７（入賞口ＳＷ監視処理）における監視結果（検出信号の有無）に基づいて、特図１始動口２４への入賞（特図１始動入賞）があるか否かを判定する。そして、特図１始動入賞がないと判定した場合はステップＳ１１７に移行し、特図１始動入賞があると判定した場合はステップＳ１１２に移行する。
【００７７】
ステップＳ１１２では、現在の特図１始動記憶数（保留玉）を取得する。
ステップＳ１１３では、特図１始動記憶数が４以上であるか否かを判定する。そして、特図１始動記憶数が４以上であると判定した場合、すなわち、特図１始動記憶数の上限数を超えている場合（保留４）はステップＳ１１７に移行し、特図１始動記憶数が４以上でない（保留０〜３）と判定した場合はステップＳ１１４に移行する。
【００７８】
ステップＳ１１４では、特図１始動記憶数を１インクリメントする。
ステップＳ１１５では、更新された始動記憶に係る始動権利に基づいて、当たり判定用乱数を取得し、この当たり判定用乱数が大当たり判定値又は小当たり判定値と一致するか否かを判定する（当たり抽選）。また、図柄決定用乱数と変動パターン決定用乱数を取得する。そして、当たりの当否を示す判定結果及び各種乱数値を、当該始動記憶に対応付けて記憶する。
【００７９】
ステップＳ１１６では、後述する保留先読み予告を実行するためのフラグ（保留先読み予告フラグ）や、ステージ・モード演出を制御するためのフラグ、大当たり状態に関する演出を制御するためのフラグ等、各種フラグをセットする。
例えば、保留先読み予告を実行するか否かの抽選が実行され、この抽選に当選した場合に保留先読み予告フラグがセットされる（保留先読み予告フラグセット処理）。保留先読み予告抽選では、大当たり抽選に当選した場合の当選確率が、はずれた場合の当選確率より高く設定されているため、保留先読み予告が実行されると大当たりに対する期待感が高まる。
また、大当たり抽選に当選した場合には、大当たり状態を発生させ、特別電動役物としての開閉扉２６ａ又は可動部材６１ａを連続して作動させるための大当たりフラグがセットされる（条件装置が作動する）。これに対して、小当たり抽選に当選しても大当たりフラグはセットされない（条件装置は作動しない）。
【００８０】
ステップＳ１１７では、特図ゲーム処理番号を取得する。
ステップＳ１１８では、ステップＳ１１７で取得した特図ゲーム処理番号に基づき特図ゲーム分岐処理を行う。この特図ゲーム分岐処理の詳細については後述する。
ステップＳ１１９において特図変動制御処理を実行し、特図１ゲーム処理を終了する。
【００８１】
図８は、図６の特図２ゲーム処理（ステップＳ１０４）の一例について示すフローチャートである。
図８に示すように、ステップＳ１２１では、図５のステップＳ１７（入賞口ＳＷ監視処理）における監視結果（検出信号の有無）に基づいて、特図２始動口２５への入賞（特図２始動入賞）があるか否かを判定する。そして、特図２始動入賞がないと判定した場合はステップＳ１２７に移行し、特図２始動入賞があると判定した場合はステップＳ１２２に移行する。
【００８２】
ステップＳ１２２では、現在の特図２始動記憶数（保留玉）を取得する。
ステップＳ１２３では、特図２始動記憶数が４以上であるか否かを判定する。そして、特図２始動記憶数が４以上であると判定した場合、すなわち、特図２始動記憶数の上限数を超えている場合（保留４）はステップＳ１２７に移行し、特図２始動記憶数が４以上でない（保留０〜３）と判定した場合はステップＳ１２４に移行する。
【００８３】
ステップＳ１２４では、特図２始動記憶数を１インクリメントする。
ステップＳ１２５では、更新された始動記憶に係る始動権利に基づいて、当たり判定用乱数を取得し、この当たり判定用乱数が大当たり判定値又は小当たり判定値と一致するか否かを判定する（当たり抽選）。また、図柄決定用乱数と変動パターン決定用乱数を取得する。そして、当たりの当否を示す判定結果及び各種乱数値を、当該始動記憶に対応付けて記憶する。
【００８４】
ステップＳ１２６では、後述する保留先読み予告を実行するためのフラグ（保留先読み予告フラグ）や、ステージ・モード演出を制御するためのフラグ、大当たり状態に関する演出を制御するためのフラグ等、各種フラグをセットする。
例えば、保留先読み予告を実行するか否かの抽選が実行され、この抽選に当選した場合に保留先読み予告フラグがセットされる（保留先読み予告フラグセット処理）。保留先読み予告抽選では、大当たり抽選に当選した場合の当選確率が、はずれた場合の当選確率より高く設定されているため、保留先読み予告が実行されると大当たりに対する期待感が高まる。
また、大当たり抽選に当選した場合には、大当たり状態を発生させ、特別電動役物としての開閉扉２６ａ又は可動部材６１ａを連続して作動させるための大当たりフラグがセットされる（条件装置が作動する）。これに対して、小当たり抽選に当選しても大当たりフラグはセットされない（条件装置は作動しない）。
【００８５】
ステップＳ１２７では、特図ゲーム処理番号を取得する。
ステップＳ１２８では、ステップＳ１２７で取得した特図ゲーム処理番号に基づき特図ゲーム分岐処理を行う。この特図ゲーム分岐処理の詳細については後述する。
ステップＳ１２９において特図変動制御処理を実行し、特図２ゲーム処理を終了する。
【００８６】
図９は、図７のステップＳ１１８及び図８のステップＳ１２８の特図ゲーム分岐処理の一例を示すフローチャートである。
この特図ゲーム分岐処理は、始動記憶（始動権利）に基づき特図変動表示ゲームの実行を制御するための処理であり、特図１変動表示ゲームおよび特図２変動表示ゲームの両方に共通の処理である。
【００８７】
ステップＳ１３１では、処理番号が０であるか否かを判定する。そして、処理番号が０であると判定した場合は、ステップＳ１３２において特図普段処理を行う。この特図普段処理では、特別図柄の変動開始を監視するとともに、特別図柄の変動開始の設定や現在の遊技状態（確率状態）を明確に又は曖昧に報知するステージ・モード演出の設定を行う。また、特図変動開始処理を行うために必要な情報の設定を行う。
【００８８】
ステップＳ１３３では、処理番号が１であるか否かを判定する。そして、処理番号が１であると判定した場合は、ステップＳ１３４において特図２変動開始処理を行う。この特図２変動開始処理では、特図２変動表示ゲームに係る情報の設定を行う。
例えば、図８のステップＳ１２５で取得された図柄決定用乱数に基づいて停止図柄を設定したり、変動パターン決定用乱数に基づいて変動パターンを設定したりする。さらに、保留先読み予告フラグが設定されているときは、連続変動パターンを設定する。また、特図変動中処理を行うために必要な情報の設定を行う。
【００８９】
ステップＳ１３５では、処理番号が２であるか否かを判定する。そして、処理番号が２であると判定した場合は、ステップＳ１３６において特図１変動開始処理を行う。この特図１変動開始処理では、特図１変動表示ゲームに係る情報の設定を行う。
例えば、図７のステップＳ１１５で取得された図柄決定用乱数に基づいて停止図柄を設定したり、変動パターン決定用乱数に基づいて変動パターンを設定したりする。さらに、保留先読み予告フラグが設定されているときは、連続変動パターンを設定する。また、特図変動中処理を行うために必要な情報の設定を行う。
【００９０】
ステップＳ１３７では、処理番号が３であるか否かを判定する。そして、処理番号が３であると判定した場合は、ステップＳ１３８において特図変動中処理を行う。この特図変動中処理では、特図変動表示ゲームにおける時間（変動時間など）を管理するためのタイマの更新を行う。また、特図表示中処理を行うために必要な情報の設定を行う。
【００９１】
ステップＳ１３９では、処理番号が４であるか否かを判定する。そして、処理番号が４であると判定した場合は、ステップＳ１４０において特図表示中処理を行う。この特図表示中処理では、特図変動表示ゲームにおける時間（停止図柄表示時間など）を管理するためのタイマの更新を行う。
また、特図変動表示ゲームの結果が大当たりの場合にはファンファーレ／インターバル中処理を行うために必要な情報の設定を行い、特別変動表示ゲームの結果がハズレの場合には、特図普段処理を行うために必要な情報の設定を行う。
【００９２】
ステップＳ１４１では、処理番号が５であるか否かを判定する。そして、処理番号が５であると判定した場合は、ステップＳ１４２において特別遊技状態に関する処理であるファンファーレ／インターバル中処理を行う。このファンファーレ／インターバル中処理では、特別遊技状態中であることを示すファンファーレ等を出力する処理を行う。また、大入賞口開放中処理を行うために必要な情報の設定を行う。
【００９３】
ステップＳ１４３では、処理番号が６であるか否かを判定する。そして、処理番号が６であると判定した場合は、ステップＳ１４４において特別遊技状態に関する処理である大入賞口開放中処理を行う。この大入賞口開放中処理では、開閉扉２６ｂや可動部材６１ｂを開閉動作させて、第１大入賞２６や第２大入賞口６１を開放する処理を行う。
また、特別遊技状態が最終ラウンドでなければファンファーレ／インターバル中処理を行うために必要な情報の設定を行い、特別遊技状態が最終ラウンドであれば特別遊技状態の終了画面のコマンドの設定や大入賞口残存球処理を行うために必要な情報の設定を行う。
【００９４】
ステップＳ１４５では、処理番号が７であるか否かを判定する。そして、処理番号が７であると判定した場合は、ステップＳ１４６において特別遊技状態に関する処理である大入賞口残存球処理を行う。この大入賞口残存球処理では、特別遊技状態の最終ラウンドが終了して大入賞口２６、６１を閉鎖した後に、大入賞口２６、６１内に残存するすべての遊技球を流下させるために、一定時間待機する処理を行う。また、大当たり終了処理を行うために必要な情報の設定を行う。
【００９５】
ステップＳ１４７では、処理番号が８であるか否かを判定する。そして、処理番号が８であると判定した場合は、ステップＳ１４８において特別遊技状態に関する処理である大当たり終了処理を行う。この大当たり終了処理では、特別遊技状態を終了する処理を行う。また、特図普段処理を行うために必要な情報の設定を行う。
以上のようにして特図ゲーム分岐処理を実行した後、図７又は図８のフローチャートに復帰し、特別変動制御処理を実行する。
【００９６】
上述したように、遊技制御装置３０は、特図ゲーム処理（図５のステップＳ１９）において、始動入賞に基づいて変動表示ゲームの特図当たり判定用乱数を抽出し、この特図当たり判定用乱数値とＲＯＭ３１ｃに記憶されている大当たり判定値又は小当たり判定値を比較し、大当たり又は小当たりの当否を判定する（当たり抽選）。
そして、これらの判定結果を、始動入賞に基づいて発生する始動権利の記憶（始動記憶）に対応付けて記憶させる。この始動記憶に係る始動権利に基づいて特図変動表示ゲームを実行可能な場合には、特図１表示器２２Ａや特図２表示器２２Ｂに識別図柄を所定時間変動表示した後、停止表示する特図変動表示ゲームを表示する処理を行う。
【００９７】
また、この特図変動表示ゲームの結果が当たりの場合は、特図１表示器２２Ａや特図２表示器２２Ｂに特別結果態様を表示するとともに、特別遊技状態を発生させる処理を行う。
特別遊技状態を発生させる処理においては、遊技制御装置３０は、例えば、第１大入賞口ＳＯＬ２６ｃにより第１大入賞口２６の開閉扉２６ｂを開放させ、第１大入賞口２６への遊技球の流入を可能とする制御を行う。または、第２大入賞口ＳＯＬ６１ｃにより第２大入賞口６１を開放状態とするように可動部材６１ｂを回動させ、第２大入賞口６１への遊技球の流入を可能とする制御を行う。
【００９８】
そして、第１大入賞口２６や第２大入賞口６１に所定個数（例えば、１０個）の遊技球が入賞するか、第１大入賞口２６や第２大入賞口６１の開放から所定時間（例えば、２５秒または１秒）が経過するかの何れかの条件が達成されるまで第１大入賞口２６や第２大入賞口２５を開放することを１ラウンドとし、これを所定ラウンド回数（例えば、１５Ｒまたは２Ｒ）継続する制御（サイクル遊技）を行う。
一方、特図変動表示ゲームの結果がハズレの場合は、特図１表示器２２Ａや特図２表示器２２Ｂにハズレの結果態様を表示する制御を行う。
【００９９】
なお、特別遊技状態において、第１大入賞口２６又は第２大入賞口６１のうち、何れの大入賞口を開放状態とするかどうかの振り分けは、例えば、特図変動表示ゲームの結果態様（当選した大当たりの種類）に基づいて行われる。
【０１００】
また、遊技制御装置３０は、普図ゲーム処理（図５のステップＳ２０）において、普図始動ゲート２１を遊技球が通過することに基づいて普図当たり判定用乱数を抽出し、この普図当たり判定用乱数値とＲＯＭ３１ｃに記憶されている普図当たり判定値を比較し、普図当たりの当否を判定する処理を行う。そして、普図表示器２３に、識別図柄を所定時間変動表示した後、停止表示する普図変動表示ゲームを表示する処理を行う。
【０１０１】
普図変動表示ゲームの結果が当たりの場合は、普図表示器２３に特別の結果態様を表示するとともに、普電ＳＯＬ２５ｃを動作させ、普通変動入賞装置２５の可動部材２５ｂ、２５ｂを所定時間開放する制御を行う。一方、普図変動表示ゲームの結果がハズレの場合は、普図表示器２３にハズレの結果態様を表示する制御を行う。
【０１０２】
上述した特図ゲーム処理及び普図ゲーム処理では、特図変動表示ゲーム又は普図変動表示ゲームに応じて演出装置（例えば、液晶表示装置５０等）を制御するための制御信号（演出制御コマンド）が生成され、演出制御装置４０に出力される。この演出制御コマンドに、変動パターンや連続変動パターンに関する情報が含まれている。
演出制御装置４０では、遊技制御装置３０からの演出制御コマンドに基づき、液晶表示装置５０で特図変動表示ゲームに対応する飾り特図変動表示ゲームや始動記憶に対応する飾り特図始動記憶を表示する処理が行われる。連続変動パターンが設定されていれば、保留先読み予告に関する処理が行われることとなる。
また、スピーカ１４５からの音の出力、装飾ランプ・ＬＥＤ１６１の発光を制御する処理、下桃用モータ４４１ａの回転駆動を制御する処理、第１上桃用ソレノイドの駆動を制御する処理、第２上桃用ソレノイドの駆動を制御する処理、第１上桃用モータ４３３ａの回転駆動を制御する処理、第２上桃用モータ４３３ｂの回転駆動を制御する処理等が行われる。
【０１０３】
このように、本実施形態に係る遊技機１００は、第１始動口（特図１始動口２４）に遊技球が入賞したことに伴い発生する第１始動権利又は第２始動口（特図２始動口２５）に遊技球が入賞したことに伴い発生する第２始動権利に基づいて当たり抽選（大当たり抽選、小当たり抽選）を実行する抽選手段（遊技制御装置３０）、第１始動権利又は第２始動権利に基づく当たり抽選の結果に基づいて第１変動パターン又は第２変動パターンを設定する変動パターン設定手段（遊技制御装置３０）、変動パターン設定手段により設定された第１変動パターン又は第２変動パターンで変動表示ゲームを実行する変動表示装置（液晶表示措置５０）、第１始動権利又は第２始動権利をそれぞれ所定の上限数まで第１始動記憶又は第２始動記憶として保留する保留手段（遊技制御装置３０）、第１始動記憶又は第２始動記憶に係る変動パターンによる変動表示ゲームの実行を順次指示する変動表示指示手段（遊技制御装置３０）、抽選の結果が特定結果となる場合に、大入賞口（第１大入賞口２６、第２第入賞口６１）を所定の態様で開放する特別遊技状態（大当たり状態、小当たり状態）を発生させることにより遊技者に利益を付与する利益付与手段と、を備えている。
ここで、始動記憶に係る変動パターンとは、始動記憶に対応付けて記憶されている変動パターン決定用乱数に基づいて設定される変動パターンのことである。
【０１０４】
また、変動表示指示手段（遊技制御装置３０）は、第２始動記憶に係る第２変動パターンによる変動表示ゲームを、第１始動記憶に係る第１変動パターンによる変動表示ゲームに優先して実行するように指示する優先指示手段を有している。
変動パターン設定手段は、第１始動記憶に係る抽選結果が当たりの場合に、この第１始動記憶（例えば、保留４）より以前に保留され、この第１始動記憶に係る第１変動パターンによる変動表示ゲームに先立って変動表示ゲームが実行されることとなる第１又は第２始動記憶（保留１〜３）に係る第１又は第２変動パターンを、相互に関連性のある連続変動パターンに変更する連続変動パターン設定手段を有している。すなわち、保留先読み連続予告演出を実行可能に構成されている。
【０１０５】
図１０は、本実施形態の遊技機１００の遊技状態を説明するための状態遷移図である。
図１０において、客待ち状態ＳＴ１は、特図変動表示ゲームが実行されず所定時間放置されている状態であり、始動入賞に基づいて始動権利が発生するのを待機している状態である。この客待ち状態ＳＴ１において、特図１始動口２４や特図２始動口２５に遊技球が入賞して始動権利が発生すると、変動状態ＳＴ２に移行する。
【０１０６】
変動状態ＳＴ２は、特図変動表示ゲームを実行している状態である。
変動状態ＳＴ２において大当たり抽選に当選すると、特図変動表示ゲームで特別結果態様が導出され、大当たり状態ＳＴ３に移行する。
変動状態ＳＴ２において大当たり抽選にはずれると、特図変動表示ゲームでハズレに対応する結果態様が導出される。その後、特図始動記憶があれば（保留１〜４）、次回の特図変動表示ゲームが開始される。一方、特図始動記憶がなければ（保留０）、所定時間の経過とともに客待ち状態ＳＴ１に移行する。
【０１０７】
大当たり状態ＳＴ３は、第１大入賞口２６又は第２大入賞口６１が所定回数（ラウンド）だけ開放され、遊技者に所定の遊技価値を付与可能な特別遊技状態が発生している状態である。大当たり状態ＳＴ３が終了したときに、特図始動記憶があれば（保留１〜４）、次回の特図変動表示ゲームが開始される。一方、特図始動記憶がなければ（保留０）、所定時間の経過とともに客待ち状態ＳＴ１に移行する。
【０１０８】
図１１は本実施形態に係る遊技機１００における大当たり種類について示す説明図であり、図１２は大当たり当選時の内訳について示す説明図である。
【０１０９】
図１１において、２Ｒ通常当たりとは、大当たり発生時に可動部材６１ｂの開閉動作により第２大入賞口６１が１秒×２Ｒ開放され、大当たり終了後の大当たり確率が相対的に低い第１当選確率（例えば、１／３１６）に設定される大当たりである。
２Ｒ確変当たりとは、大当たり発生時に可動部材６１ｂの開閉動作により第２大入賞口６１が１秒×２Ｒ開放され、大当たり終了後の大当たり確率が第１当選確率より高い第２当選確率（例えば、第１当選確率の約１０倍）に設定される大当たりである。
【０１１０】
１５Ｒ通常当たりとは、大当たり発生時に開閉扉２６ｂの開閉動作により第１大入賞口２６が２５秒又は１０個入賞×１５Ｒ開放され、大当たり終了後の大当たり確率が第１当選確率に設定される大当たりである。
１５Ｒ確変当たりとは、大当たり発生時に開閉扉２６ｂの開閉動作により第１大入賞口２６が２５秒又は１０個入賞×１５Ｒ開放され、大当たり終了後の大当たり確率が第２当選確率に設定される大当たりである。
【０１１１】
時短とは、特図変動表示ゲームが所定回数消化されるまで、普図変動表示ゲームにおける普図当たりの当選確率を高くするとともに、普図変動表示ゲームの変動表示時間を短縮することにより、普通電動役物としての可動部材２５ｂ、２５ｂの開閉動作を頻発させて特図２始動口２５に遊技球が入賞しやすくした状態であり、電サポ（電動役物サポート）とも呼ばれる。
【０１１２】
ここで、特図変動表示ゲームが１００回消化されるまで継続される時短を時短１、次回大当たりまで継続される時短を時短２と区別して表すこととする。したがって、例えばＮＯ．２の２Ｒ通常当たり後の遊技状態は通常状態（時短１）と表され、ＮＯ．７の２Ｒ確変当たり後の遊技状態は確変状態（時短２）と表される。
【０１１３】
遊技機１００では、時短なしの状態（例えば、通常状態）における普図変動表示ゲームの変動表示時間は比較的長時間（例えば、３０秒）に設定されている。そして、普図変動表示ゲームにおいて普図当たりとなったときの特図２始動口２５の開放時間は短時間（例えば、０．３秒）に設定され、１回の普図当たりに対する特図２始動口２５の開放回数も少なく設定されている（例えば１Ｒ）。
これに対して、時短ありの状態（例えば、通常状態（時短１））における普図変動表示ゲームの変動表示時間は時短なしの場合に比較して短時間（例えば、２〜５秒）に設定されている。そして、普図変動表示ゲームにおいて普図当たりとなったときの特図２始動口２５の開放時間は時短なしの場合に比較して長時間（例えば、１秒）に設定され、１回の普図当たりに対する特図２始動口２５の開放回数も時短なしの場合に比較して多く設定されている（例えば３Ｒ）。
【０１１４】
このように、時短ありの状態（いわゆる時短中）は、時短なしの状態よりも特図２始動口２５の開放回数が増加され、特図２始動口２５に遊技球が入賞しやすくなっているので、特図２始動記憶はほとんど途切れることなく、時短ありの状態が終了するまで特図２変動表示ゲームが主として実行されることとなる。
【０１１５】
なお、本実施形態では、１５Ｒよりも小さいラウンドで大入賞口の開放時間を短くした（例えば、０．２秒）、いわゆる短時間開放当たりの一例として２Ｒ当たり（２Ｒ通常当たり、２Ｒ確変当たり）を採用しているが、大入賞口の開放ラウンドが２Ｒ以外となる短時間開放当たりを採用してもよい。
【０１１６】
図１１に示す大当たりの内訳は図１２（ａ）、（ｂ）に示す通りである。図１２（ａ）、（ｂ）に示すように、特図２変動表示ゲームにおける大当たり当選時は、特図１変動表示ゲームにおける大当たり当選時に比較して、Ｎｏ．４の２Ｒ確変当たり（時短なし）に振り分けられる割合が低く設定され、その分Ｎｏ．８の１５Ｒ確変当たり（次回大当たりまで時短付き）に振り分けられる割合が高く設定されている。つまり、特図２変動表示ゲームが実行されやすくなる時短中は、遊技者に付与される利益が最も大きいＮｏ．８の大当たりが発生しやすくなっている。
【０１１７】
このように、遊技機１００が備える利益付与手段（遊技制御装置３０）は、大当たり抽選において第１当たり（１５Ｒ当たり）に当選した場合に、遊技球が容易に入賞可能な第１態様で大入賞口（第１大入賞口２６）を開放することにより遊技者に第１の利益を付与する第１利益付与手段と、大当たり抽選において第２当たり（２Ｒ当たり）に当選した場合に、第１態様よりも開放時間が短い第２態様で大入賞口（第２大入賞口６１）を開放することにより遊技者に前記第１の利益よりも価値の低い第２の利益を付与する第２利益付与手段と、を有している。
【０１１８】
図１３は、当たり終了後に移行する遊技状態について示す説明図である。図１３における丸囲み数字は、図１１の大当たり種類を示す番号に対応している。
なお、図１３では、通常状態Ｄにおいて当たり抽選に当選した場合について示しているが、遊技状態Ｅ〜Ｈにおいて当たり抽選に当選した場合もほぼ同様である。
また、大当たりに当選することを契機とする遊技状態の移行は、遊技制御装置３０により制御される。具体的には、特図ゲーム処理（図５のステップＳ１９）内で行われる。
【０１１９】
通常状態ＤにおいてＮｏ．１の２Ｒ通常当たり（時短なし）に当選すると、２Ｒ当たり状態Ｂが発生し、第２大入賞口６１が１秒×２Ｒ開放される。そして、大当たり終了後に通常状態Ｄに移行する。
Ｎｏ．２の２Ｒ通常当たり（時短１００回付き）に当選すると、２Ｒ当たり状態Ｂが発生し、第２大入賞口６１が１秒×２Ｒ開放される。そして、大当たり終了後に通常状態（時短１）Ｆに移行する。特図変動表示ゲームが１００回消化されると通常状態（時短１）Ｆから通常状態Ｄに移行する。
【０１２０】
Ｎｏ．３の１５Ｒ通常当たり（時短１００回付き）に当選すると、１５Ｒ当たり状態Ｃが発生し、第１大入賞口２６が２５秒又は１０個入賞×１５Ｒ開放される。そして、大当たり終了後に通常状態（時短１）Ｆに移行する。特図変動表示ゲームが１００回消化されると通常状態（時短１）Ｆからは通常状態Ｄに移行する。
Ｎｏ．４の２Ｒ確変当たり（時短なし）に当選すると、２Ｒ当たり状態Ｂが発生し、第２大入賞口６１が１秒×２Ｒ開放される。そして、大当たり終了後に確変状態Ｅに移行する。
【０１２１】
Ｎｏ．５の２Ｒ確変当たり（時短１００回付き）に当選すると、２Ｒ当たり状態Ｂが発生し、第２大入賞口６１が１秒×２Ｒ開放される。そして、大当たり終了後に確変状態（時短１）Ｇに移行する。特図変動表示ゲームが１００回消化されると確変状態（時短１）Ｇから確変状態Ｅに移行する。
Ｎｏ．６の１５Ｒ確変当たり（時短１００回付き）に当選すると、１５Ｒ当たり状態Ｃが発生し、第１大入賞口２６が２５秒又は１０個入賞×１５Ｒ開放される。そして、大当たり終了後に確変状態（時短１）Ｇに移行する。特図変動表示ゲームが１００回消化されると確変状態（時短１）Ｇから確変状態Ｅに移行する。
【０１２２】
Ｎｏ．７の２Ｒ確変当たり（次回大当たりまで時短付き）に当選すると、２Ｒ当たり状態Ｂが発生し、第２大入賞口６１が１秒×２Ｒ開放される。そして、大当たり終了後に確変状態（時短２）Ｈに移行する。次回大当たりが発生するまでこの状態Ｈが継続される。
Ｎｏ．８の１５Ｒ確変当たり（次回大当たりまで時短付き）に当選すると、１５Ｒ当たり状態Ｃが発生し、第１大入賞口２６が２５秒又は１０個入賞×１５Ｒ開放される。そして、大当たり終了後に確変状態（時短２）Ｈに移行する。次回大当たりが発生するまでこの状態Ｈが継続される。
【０１２３】
本実施形態の遊技機１００は、大当たり判定値による大当たり抽選とは別の小当たり判定値による小当たり抽選（小当たりの当選確率は、例えば、１／２２０）により当否を判定される小当たりを発生可能に構成されている。大当たり当選時とは異なり、小当たり当選時には遊技状態の移行は一切行われない。
図１３に示すように、通常状態Ｄにおいて小当たりに当選すると、小当たり状態Ａが発生し、２Ｒ当たり状態Ｂと同様に第２大入賞口６１が１秒×２Ｒ開放される。そして、小当たり終了後に通常状態Ｄに戻る。
なお、通常状態Ｄとは異なる遊技状態Ｅ〜Ｈのいずれかにおいて小当たり抽選に当選した場合は、小当たり終了後には元の遊技状態に戻ることとなる。つまり、例えば、確変状態Ｅにおいて小当たり抽選に当選した場合は、小当たり終了後も確変状態Ｅは継続される。
本実施形態では、大当たり抽選に当選することにより発生する２Ｒ当たり状態Ｂ、１５Ｒ当たり状態Ａだけでなく、小当たり抽選に当選することにより発生する小当たり状態Ａも特別遊技状態に含む。
【０１２４】
このように、大当たり又は小当たり終了後は、通常状態Ｄ、確変状態Ｅ、通常状態（時短１）Ｆ、確変状態（時短１）Ｇ、確変状態（時短２）Ｈの何れかに滞在することとなる。通常状態（Ｄ、Ｆ）と確変状態（Ｅ、Ｇ、Ｈ）の何れに滞在しているかを遊技者に認識させるために、遊技機１００はステージ・モード演出を実行可能に構成されている。
例えば、通常状態に対応するモードと確変状態に対応するモードが設けられ、液晶表示装置５０における背景表示や演出内容により滞在している遊技状態を遊技者が認識可能となっている。
なお、時短のあり／なしは特図２始動口２５の挙動により明白なので、通常状態か確変常態かを報知されれば、遊技者は上述した遊技状態Ｄ〜Ｈを区別できることとなる。
【０１２５】
また、このステージ・モード演出において、通常状態（Ｄ、Ｆ）又は確変状態（Ｅ、Ｇ、Ｈ）の何れに滞在しているかを明確に報知しない、すなわち、１つのモードを複数の遊技状態に対応させることで、何れの遊技状態にも滞在している可能性があるように曖昧に報知することも可能となっている（曖昧モード又はグレーゾーンと称する）。
【０１２６】
例えば、図１３において点線で示す移行先の状態、すなわち小当たり終了後の通常状態Ｄ、２Ｒ通常当たり（時短なし）終了後の通常状態Ｄ、２Ｒ確変当たり（時短なし）終了後の確変状態Ｅは、当たり発生時の第２大入賞口６１の挙動及び当たり終了後の特図２始動口２５の挙動から何れの状態となっているか判別できない。
そこで、これらの当たり終了後には、同じステージ・モード演出（グレーゾーン１、図１４（ｂ））を実行することにより、何れの遊技状態に滞在しているかを明確に報知しないようにしている。これにより、２Ｒ確変当たりであったことが完全に否定されないので、遊技者に確変状態に移行しているかもしれないと期待させることができる。
【０１２７】
また例えば、図１３において太線で示す移行先の状態、すなわち２Ｒ通常当たり（時短１００回付き）終了後の通常状態（時短１）Ｆ、２Ｒ確変当たり（時短１００回付き）終了後の確変状態（時短１）Ｇは、当たり発生時の第２大入賞口６１の挙動及び当たり終了後の特図２始動口２５の挙動から何れの状態となっているか判別できない。
そこで、これらの当たり終了後には、同じステージ・モード演出（グレーゾーン２、図１４（ｃ））を実行することにより、何れの遊技状態に滞在しているかを明確に報知しないようにしている。これにより、２Ｒ確変当たりであったことが完全に否定されないので、遊技者に確変状態に移行しているかもしれないと期待させることができる。
なお、特図変動表示ゲームが１００回消化された後は、上述したグレーゾーン１に移行し、なおも確変状態であることを完全に否定しないようにしてもよい。
【０１２８】
一方、図１３において細線で示す移行先の状態、すなわち２Ｒ確変当たり（次回大当たりまで時短付き）終了後の確変状態（時短２）Ｈ、１５Ｒ確変当たり（時短１００回付き）終了後の確変状態（時短１）Ｇ及びこの時短終了後の確変状態Ｅ、並びに１５Ｒ確変当たり（次回大当たりまで時短付き）終了後の確変状態（時短２）Ｈでは、それらの状態を明確に報知するステージ・モード演出（確変確定モード、図１４（ｄ））が実行されるようになっている。また、１５Ｒ通常当たり（時短１００回付き）終了後の通常状態（時短１）Ｆ及びこの時短終了後の通常状態Ｄでは、それらの状態を明確に報知するステージ・モード演出（通常確定モード、図１４（ａ））が実行されるようになっている。
【０１２９】
このように、遊技機１００は、大当たり抽選の当選確率を相対的に低く設定した第１遊技状態（通常状態）と、この第１遊技状態よりも当選確率を高く設定した第２遊技状態（確変状態）とを、大当たり抽選に当選したことを条件に変更可能な遊技状態設定手段（遊技制御装置３０）を備えている。
また、第１遊技状態又は第２遊技状態の何れに滞在しているかを確定モードにより遊技者に報知可能な遊技状態報知手段（遊技制御装置３０、液晶表示装置５０）を備えている。この遊技状態報知手段は、第１遊技状態又は第２遊技状態の何れにも滞在している可能性があることを曖昧モードにより遊技者に報知可能（遊技状態を明確に報知しない）に構成されている。
【０１３０】
図１５は、液晶表示装置５０に表示される飾り特図始動記憶表示の一例を示す説明図である。
図１５に示すように、第１始動記憶については上限数に対応する４個の円形記号の表示態様を変更することで始動記憶数を表すこととし、第２始動記憶については第１始動記憶を示す円形記号の左側に新たに星形記号を追加表示することにより始動記憶数を表すこととする。
図１５には、第１始動記憶が３個で、第２始動記憶が１個の場合について示している。保留された順に関係なく、第１始動記憶及び第２始動記憶を通して、左から順に始動記憶に対応する変動表示ゲームが実行されることとなる。
【０１３１】
図１６は、保留先読み予告を伴う変動表示ゲームの一例について示す説明図である。
この保留先読み予告は、図７のステップＳ１１６又は図８のステップＳ１２６において保留先読み予告フラグが設定され、ステップＳ１３４の特図２変動開始処理又はステップＳ１３６の特図１変動開始処理において連続変動パターンが設定されたときに実行される。
また、図１７には図１６に示す一連の変動表示ゲーム進行に係る飾り特図始動記憶表示の遷移状態を示し、図１８には図１６、図１７に対応するタイミングチャートを示している。図１８中の符号Ａ〜Ｅは図１６の状態（Ａ）〜（Ｅ）のそれぞれに対応し、符号ａ〜ｃは図１７の状態（ａ）〜（ｃ）のそれぞれに対応している。
【０１３２】
図１６〜１８では、特図１変動表示ゲームを実行中に特図１始動記憶が１個（抽選結果は何れもハズレ）あり、次の特図１始動入賞により発生した特図１始動権利に基づく大当たり抽選で大当たりに当選するとともに、保留先読み予告フラグがセットされた場合について示している。このとき、保留２に係る変動パターン及びこの保留２より以前に保留された保留１に係る変動パターンが、相互に関連性のある連続変動パターンに変更される。
【０１３３】
図１６（Ａ）に示すように、現在変動表示中の特図１変動表示ゲームが終了すると、ハズレを示す結果態様（例えば、「７６５」）が表示されるとともに、保留先読み予告に係る連続変動数（ここでは２ゲーム）に対応する盤側連続予告表示装置７１が点灯する。２個の発光部７１ａ、７１ｂが点灯しているので、遊技者は２回の保留先読み予告が実行されることを認識でき、２回目の特図変動表示ゲームで大当たりとなる可能性が高いことを知得できる。
このときの飾り特図始動記憶表示は、図１７（ａ）に示すように特図１始動記憶を示す２つの円形記号が点灯している。
【０１３４】
図１６（Ｂ）に示すように、盤側連続予告表示装置７１の１つ（発光部７１ｂ）が消灯するとともに、消灯した発光部７１ｂから画面内に光が射すような保留先読み予告が表示され、保留１に係る特図１変動表示ゲームが開始される。この保留先読み予告が付加されている変動表示ゲーム（保留１、２に係る変動表示ゲーム）では、例えば、プレイヤー側のキャラクタと敵のキャラクタが対決し、最終的に勝敗を決するようなストーリー性のある演出表示が展開される。
このときの飾り特図始動記憶表示は、図１７（ｂ）に示すように１減算され、保留２（表示上は保留１にスライドされるが簡単のため保留１、２があるとき（図１６（Ａ））を基準にして当初の保留として表している）に係る始動記憶だけとなる。
図１６（Ｃ）に示すように、保留１に係る特図１変動表示ゲームが終了すると、ハズレを示す結果態様（例えば、「７７６」）が表示される。
【０１３５】
図１６（Ｄ）に示すように、盤側連続予告表示装置７１の１つ（発光部７１ａ）が消灯するとともに、消灯した発光部７１ａから画面内に光が射すような保留先読み予告が表示され、保留２に係る特図１変動表示ゲームが開始される。
このときの飾り特図始動記憶表示は、図１７（ｃ）に示すように１減算され、始動記憶がない状態となっている。
図１６（Ｅ）に示すように、保留２に係る特図１変動表示ゲームが終了すると、大当たりを示す結果態様（例えば、「７７７」）が表示される。このとき、演出表示においては、プレイヤー側のキャラクタが勝利する結果となる。
【０１３６】
このように、保留先読み予告フラグが設定された場合には、その時点で保留されている始動権利に係る変動表示ゲーム（例えば、保留２で保留先読み予告に当選した場合は保留１、２の２回にわたる変動表示ゲーム、変動中の変動表示ゲームを含める場合もある）において相互に関連性のある演出を連続して発生させる保留先読み予告が実行される。
この保留先読み予告では、保留された始動権利に基づく大当たり抽選の結果が当たりであること、すなわち保留された始動権利（保留玉）に係る変動表示ゲームにおいて大当たりとなることが予告されるので、保留内での大当たりに対する期待感を段階的に増幅させることができる。
【０１３７】
また、遊技機１００は、連続変動パターン設定手段（遊技制御装置３０）によって設定された連続変動パターンのゲーム数（何回分の保留ゲームにわたって連続変動パターンとするか）を報知する連続変動数表示装置（盤側連続予告表示装置７１）を備えている。
これにより、遊技者は何ゲーム先の変動表示ゲームが大当たりとなる可能性が高いのか容易に認識することができるので、落ち着いて遊技を行うことができる。
【０１３８】
上述したように、本実施形態に係る遊技機１００は、保留先読み予告を実行可能に構成され、また、保留先読み予告に係るゲーム回数を盤側連続予告表示装置７１により予告開始時に表示するようになっている。
また、遊技機１００では、第２始動記憶に係る第２変動パターンによる変動表示ゲーム（第２特図変動表示ゲーム）が、第１始動記憶に係る第１変動パターンによる変動表示ゲーム（第１特図変動表示ゲーム）に優先して実行されるようになっている。そのため、第１始動記憶に係る保留先読み予告を伴う変動表示ゲーム中に第２始動入賞があると、保留先読み予告を伴う一連の特図１変動表示ゲームに、特図２変動表示ゲームが割り込んで実行されることとなる。
そこで、保留先読み予告を行う際には、以下の処理を行う。
【０１３９】
図１９は、変動パターン一体化処理の一例について示すフローチャートである。この変動パターン一体化処理は、第１始動記憶に係る保留先読み予告を伴う変動表示ゲーム中に第２始動入賞があった場合に、保留先読み予告を伴う一連の特図１変動表示ゲームに、特図２変動表示ゲームを違和感なく割り込ませるための処理で、例えば、演出制御装置４０によって実行される。この場合、本発明に係る連続変動パターン設定手段は、遊技制御装置３０及び演出制御装置４０により構成されることとなる。
【０１４０】
ステップＳ２０１では、特図１始動記憶に基づき設定された保留先読み予告を伴う特図変動表示ゲーム（保留先読み予告に係る最後の変動表示ゲームを除く）を実行中であるか否かを判定する。そして、特図１始動記憶に基づき設定された保留先読み予告を伴う特図変動表示ゲームを実行中であると判定した場合はステップＳ２０２に移行し、実行中でないと判定した場合は変動パターン一体化処理を終了する。
ステップＳ２０２では、この変動表示ゲーム中に新たに特図２始動入賞が発生したか否かを判定する。そして、新たに特図２始動入賞が発生したと判定した場合はステップＳ２０３に移行し、新たに特図２始動入賞が発生していないと判定した場合は変動パターン一体化処理を終了する。
ステップＳ２０３では、新たに発生した特図２始動入賞に基づく抽選結果はハズレであるか否かを判定する。そして、この抽選結果がハズレであると判定した場合はステップＳ２０４に移行し、抽選結果がハズレでない（大当たりである）と判定した場合は変動パターン一体化処理を終了する。
【０１４１】
ステップＳ２０４では、保留先読み予告抽選に当選することに基づいて設定された連続変動パターンによる残り変動表示ゲーム数が保持されるように、当該特図２始動記憶に対応する変動表示ゲームの変動パターンを設定する。
具体的には、直前の変動表示ゲームで行われる保留先読み予告と、直後の変動表示ゲームで行われる保留先読み予告により形成されるストーリーが途切れない演出内容となるように変動パターンを設定する。例えば、保留先読み予告の区切りを明確に示す演出（例えば、盤側連続予告表示装置７１から光が入射する演出）を、優先して実行される特図２変動表示ゲームの開始時又はこの特図２変動表示ゲーム直後の変動表示ゲームの開始時の何れか一方で行うようにする。これにより、保留先読み予告は当初設定されたゲーム数だけしか行われていないように見せることができるので、演出内容の連続性は保持される。
また、連続予告表示装置７１、７２で表示されている連続予告数と、画面上で実行される保留先読み予告数が矛盾しないように、上記変動パターンにより連続予告表示装置７１、７２の表示制御が行われる。
【０１４２】
図２０は、保留先読み予告を伴う変動表示ゲーム中に、第２始動入賞（ハズレ）が発生したときの変動表示ゲームの一例について示す説明図である。
また、図２１には図２０に示す一連の変動表示ゲーム進行に係る飾り特図始動記憶表示の遷移状態を示し、図２２には図１９、図２０に対応するタイミングチャートを示している。図２２中の符号Ａ〜Ｅは図２０の状態（Ａ）〜（Ｆ）のそれぞれに対応し、符号ａ〜ｅは図２１の状態（ａ）〜（ｅ）のそれぞれに対応している。
【０１４３】
図２０〜２２には、特図１変動表示ゲームを実行中に特図１始動記憶が１個（抽選結果はハズレ）あり、次の特図１始動入賞により発生した特図１始動権利に基づく大当たり抽選で大当たりに当選するとともに、保留先読み予告フラグがセットされ、その後、保留１に係る変動表示ゲーム中に特図２始動入賞が発生した場合について示している。
【０１４４】
図２０（Ａ）に示すように、現在変動表示中の特図１変動表示ゲームが終了すると、ハズレを示す結果態様（例えば、「７６５」）が表示されるとともに、保留先読み予告に係る連続変動数（ここでは２ゲーム）に対応する盤側連続予告表示装置７１が点灯する。２個の発光部７１ａ、７１ｂが点灯しているので、遊技者は２回の保留先読み予告が実行されることを認識でき、２回目の特図変動表示ゲームで大当たりとなる可能性が高いことを知得できる。
このときの飾り特図始動記憶表示は、図２１（ａ）に示すように特図１始動記憶を示す２つの円形記号が点灯している。
【０１４５】
図２０（Ｂ）に示すように、盤側連続予告表示装置７１の１つ（発光部７１ｂ）が消灯するとともに、消灯した発光部７１ｂから画面内に光が射すような保留先読み予告１が表示され、保留１に係る特図１変動表示ゲームが開始される。この保留先読み予告が付加されている変動表示ゲーム（保留１、２に係る変動表示ゲーム）では、例えば、プレイヤー側のキャラクタと敵のキャラクタが対決し、最終的に勝敗を決するようなストーリー性のある演出表示が展開される。
このときの飾り特図始動記憶表示は、図２１（ｂ）に示すように１減算され、保留２（表示上は保留１にスライドされるが簡単のため保留１、２があるとき（図２０（Ａ））を基準にして当初の保留として表している）に係る始動記憶だけとなる。そして、この特図１変動表示ゲーム中に、特図２始動入賞が発生すると、図２１（ｃ）に示すように特図２始動記憶（保留３）を示す星形記号が表示される。
図２０（Ｃ）に示すように、保留１に係る特図１変動表示ゲームが終了すると、ハズレを示す結果態様（例えば、「７７６」）が表示される。
【０１４６】
図２０（Ｄ）に示すように、盤側連続予告表示装置７１の１つ（発光部７１ａ）が消灯するとともに、消灯した発光部７１ａから画面内に光が射すような保留先読み予告２（２−１）が表示され、保留３（特図２始動記憶）に係る特図２変動表示ゲームが開始される。このときの飾り特図始動記憶表示は、図２１（ｄ）に示すように保留３の特図２始動記憶に対応する星形記号が消去され、保留２に係る始動記憶だけとなる。
【０１４７】
図２０（Ｅ）に示すように、飾り特図変動表示ゲーム及び保留先読み予告２（２−２）は継続したまま、保留２に係る特図１変動表示ゲームが開始される。このときの飾り特図始動記憶表示は、図２１（ｅ）に示すように１減算され、始動記憶がない状態となっている。
ここで、図２２に示すように、特図２変動表示ゲームの終了タイミングと、保留先読み予告２−１の終了タイミング（保留先読み予告２−２の開始タイミング）をずらすことにより、内部的には特図２変動表示ゲームが終了して特図１変動表示ゲームが開始されたことを遊技者に意識させないようにしている。
図２０（Ｆ）に示すように、保留２に係る特図１変動表示ゲームが終了すると、大当たりを示す結果態様（例えば、「７７７」）が表示される。このとき、演出表示においては、プレイヤー側のキャラクタが勝利する結果となる。
【０１４８】
なお、図２０〜２２では、保留３に係る特図２変動表示ゲームを、直後に実行される保留２に係る特図１変動表示ゲームの前段に連結させた演出内容（保留先読み予告２−２に引き継がれる演出内容）となっているが、保留３に係る特図２変動表示ゲームを、直前に実行された保留１に係る特図１変動表示ゲームの後段に連結させた演出内容（保留先読み予告１を引き継ぐ演出内容）としてもよい。この場合、保留先読み予告の区切りを示す演出は、保留２に係る特図１変動表示ゲームの開始時に行われることとなる。
【０１４９】
このように、遊技機１００が備える連続変動パターン設定手段（演出制御装置４０）は、連続変動パターンによる変動表示ゲームの実行中であって、この連続変動パターンを設定する契機となった第１始動記憶に係る変動パターンによる変動表示ゲーム（図２１の保留２に係る特図１変動表示ゲーム）が開始される前に、第２始動権利（図２１の保留３）が新たに発生し、この第２始動権利に基づく抽選の結果が特定結果でない場合（いわゆるハズレ）に、この第２始動権利に係る変動パターンを、連続変動パターンと擬似的に一体の変動パターンとする。
すなわち、保留先読み予告を伴う一連の変動表示ゲームに、特図２始動記憶に係る特図２変動表示ゲームが割り込んで実行される場合に、この特図２変動表示ゲームの演出内容（変動パターン）に、直前／直後の変動表示ゲームの演出内容（変動パターン）と関連性を持たせるようにしている。
【０１５０】
これにより、第１始動入賞に基づいて連続変動パターンを設定する（保留先読み予告を行う）ことが決定された場合、その後、優先消化される第２始動入賞があっても、表面上はその入賞時点での始動記憶数に対応した回数だけ保留先読み予告が行われることとなるので、遊技者に違和感を与えることがない。
したがって、保留先読み予告に係るゲーム数を遊技者に報知することに伴う問題を解消できるので、効果的な保留先読み予告を実現でき、遊技者の遊技に対する興趣を向上させることができる。
【０１５１】
また、本実施形態に係る遊技機１００では、保留先読み予告を伴う変動表示ゲーム中に第２始動入賞が発生し、この第２始動入賞に基づく抽選の結果が当たりである場合に対応すべく、以下の処理を行うようにしている。
【０１５２】
図２３は、変動パターン分割処理の一例について示すフローチャートである。この変動パターン分割処理は、第１始動記憶に係る保留先読み予告を伴う変動表示ゲーム中に第２始動入賞があり、この第２始動入賞に基づく抽選の結果が当たりである場合に、保留先読み予告を伴う一連の特図１変動表示ゲームに、特図２変動表示ゲームを違和感なく割り込ませるための処理で、例えば、演出制御装置４０によって実行される。この場合、本発明に係る連続変動パターン設定手段は、遊技制御装置３０及び演出制御装置４０により構成されることとなる。
【０１５３】
ステップ３０１では、特図１始動記憶に基づき設定された保留先読み予告を伴う特図変動表示ゲーム（保留先読み予告に係る最後の変動表示ゲームを除く）を実行中であるか否かを判定する。そして、特図１始動記憶に基づき設定された保留先読み予告を伴う特図変動表示ゲームを実行中であると判定した場合はステップＳ３０２に移行し、実行中でないと判定した場合は変動パターン分割処理を終了する。
ステップＳ３０２では、この変動表示ゲーム中に新たに特図２始動入賞が発生したか否かを判定する。そして、新たに特図２始動入賞が発生したと判定した場合はステップＳ３０３に移行し、新たに特図２始動入賞が発生していないと判定した場合は変動パターン分割処理を終了する。
ステップＳ３０３では、新たに発生した特図２始動入賞に基づく抽選結果は当たりであるか否かを判定する。そして、この抽選結果が当たりであると判定した場合はステップＳ３０４に移行し、抽選結果が当たりでない（ハズレである）と判定した場合は変動パターン分割処理を終了する。
【０１５４】
ステップＳ３０４では、保留先読み予告抽選に当選することに基づいて設定された連続変動パターンによる残り変動表示ゲーム数が保持されるように、当該特図２始動記憶に対応する変動表示ゲームの変動パターンを設定する。
具体的には、直前の変動表示ゲームで行われた保留先読み予告に続けて実行されるはずだった１又は複数の変動表示ゲームに係る変動パターンを、当該特図２始動記憶に係る変動パターンとして設定する。
【０１５５】
例えば、保留先読み予告の区切りを明確に示す演出（例えば、盤側連続予告表示装置７１から光が入射する演出）を、当該第２始動記憶に対応する変動表示ゲーム内で連続変動パターンによる残り変動表示ゲーム数分だけ行うようにする。つまり、当該特図２変動表示ゲームに対して擬似連続予告を強制的に付加することで、当初のゲーム数分の保留先読み予告が行われたように見せる。これにより、保留先読み予告は当初設定されたゲーム数分だけ行われたように見せることができるので、演出内容の連続性は保持される。
また、連続予告表示装置７１、７２で表示されている連続予告数と、画面上で実行される保留先読み予告（内部的には擬似連続予告）数が矛盾しないように、上記変動パターンにより連続予告表示装置７１、７２の表示制御が行われる。
【０１５６】
図２４は、保留先読み予告を伴う変動表示ゲーム中に、第２始動入賞（当たり）が発生したときの変動表示ゲームの一例について示す説明図である。
また、図２５には図２４に示す一連の変動表示ゲーム進行に係る飾り特図始動記憶表示の遷移状態を示し、図２６には図２４、図２５に対応するタイミングチャートを示している。図２６中の符号Ａ〜Ｆは図２４の状態（Ａ）〜（Ｆ）のそれぞれに対応し、符号ａ〜ｄは図２５の状態（ａ）〜（ｄ）のそれぞれに対応している。
【０１５７】
図２４〜２６には、特図１変動表示ゲームを実行中に特図１始動記憶が２個（抽選結果は何れもハズレ）あり、次の特図１始動入賞により発生した特図１始動権利に基づく大当たり抽選で大当たりに当選するとともに、保留先読み予告フラグがセットされ、その後、保留１に係る変動表示ゲーム中に特図２始動入賞が発生した場合について示している。
【０１５８】
図２４（Ａ）に示すように、現在変動表示中の特図１変動表示ゲームが終了すると、ハズレを示す結果態様（例えば、「７６５」）が表示されるとともに、保留先読み予告に係る連続変動数（ここでは３ゲーム）に対応する盤側連続予告表示装置７１が点灯する。３個の発光部７１ａ〜７１ｃが点灯しているので、遊技者は３回の保留先読み予告が実行されることを認識でき、３回目の特図変動表示ゲームで大当たりとなる可能性が高いことを知得できる。
このときの飾り特図始動記憶表示は、図２５（ａ）に示すように特図１始動記憶を示す３つの円形記号が点灯している。
【０１５９】
図２４（Ｂ）に示すように、盤側連続予告表示装置７１の１つ（発光部７１ｃ）が消灯するとともに、消灯した発光部７１ｃから画面内に光が射すような保留先読み予告１が表示され、保留１に係る特図１変動表示ゲームが開始される。この保留先読み予告が付加されている変動表示ゲームでは、例えば、プレイヤー側のキャラクタと敵のキャラクタが対決し、最終的に勝敗を決するようなストーリー性のある演出表示が展開される。
このときの飾り特図始動記憶表示は、図２５（ｂ）に示すように１減算され、保留２、３（表示上は保留１にスライドされるが簡単のため保留１〜３があるとき（図２４（Ａ））を基準にして当初の保留として表している）に係る始動記憶となる。そして、この特図１変動表示ゲーム中に、特図２始動入賞が発生すると、図２６（ｃ）に示すように特図２始動記憶（保留４）を示す星形記号が表示される。
図２４（Ｃ）に示すように、保留１に係る特図１変動表示ゲームが終了すると、ハズレを示す結果態様（例えば、「７７６」）が表示される。
【０１６０】
図２４（Ｄ）に示すように、盤側連続予告表示装置７１の１つ（発光部７１ｂ）が消灯するとともに、消灯した発光部７１ｂから画面内に光が射すような保留先読み予告２が表示され、保留４（特図２始動記憶）に係る特図２変動表示ゲームが開始される。このときの飾り特図始動記憶表示は、図２５（ｄ）に示すように保留４の特図２始動記憶に対応する星形記号が消去され、保留２、３に係る始動記憶だけとなる。
【０１６１】
飾り特図変動表示ゲームが一端終了（特図２表示器２２Ｂにおける特図２変動表示ゲームは継続している）した後、図２４（Ｅ）に示すように、盤側連続予告表示装置７１の１つ（発光部７１ｂ）が消灯するとともに、消灯した発光部７１ａから画面内に光が射すような保留先読み予告３（擬似連続予告）が表示され、保留４（特図２始動記憶）に係る特図２変動表示ゲームが再開される。
このとき、内部的には１つの特図２変動表示ゲームに対する予告演出を分割して演出しているだけなので、飾り特図始動記憶表示は図２５（ｄ）に示すままで変化しない。
図２４（Ｆ）に示すように、保留４に係る特図２変動表示ゲームが終了すると、大当たりを示す結果態様（例えば、「７７７」）が表示される。このとき、演出表示においては、プレイヤー側のキャラクタが勝利する結果となる。
【０１６２】
このように、遊技機１００が備える連続変動パターン設定手段（演出制御装置４０）は、連続変動パターンによる変動表示ゲームの実行中であって、この連続変動パターンを設定する契機となった第１始動記憶に係る変動パターンによる変動表示ゲーム（図２４の保留３に係る特図１変動表示ゲーム）が開始される前に、第２始動権利（図２４の保留４）が新たに発生し、この第２始動権利に基づく抽選の結果が前記特定結果である場合(いわゆる大当たり)に、この第２始動権利に係る変動パターンを、連続変動パターンによる残り変動表示ゲーム数に応じて分割し、擬似的に複数の変動表示ゲームを生じさせる変動パターンとする。
すなわち、保留先読み予告を伴う一連の変動表示ゲームに、特図２始動記憶に係る特図２変動表示ゲームが割り込んで実行される場合に、この特図２変動表示ゲームの演出内容（変動パターン）に、直前の変動表示ゲームの演出内容（変動パターン）と関連性を持たせた上で完結させるようにしている。
なお、特図２始動記憶に係る変動パターンにより特図２変動表示ゲームを開始する時点で、連続変動パターンによる残り変動表示ゲーム数が１である場合は、この連続変動パターンを設定する契機となった第１始動記憶に係る変動パターンが、当該第２始動記憶に係る変動パターンとされる。
【０１６３】
これにより、第１始動入賞に基づいて連続変動パターンを設定する（保留先読み予告を行う）ことが決定され、その後、優先消化される第２始動入賞があり、その第２始動入賞に基づく抽選の結果が当たりとなった場合であっても、当該第２始動入賞があった時点での始動記憶数（保留先読み予告数）に対応した回数だけ擬似的に保留先読み予告が行われることとなるので、遊技者に違和感を与えることがない。すなわち、設定されたゲーム数分の保留先読み予告が行われる前に、大当たりが発生してしまうのを防止できる。
したがって、保留先読み予告に係るゲーム数を遊技者に報知することに伴う問題を解消できるので、効果的な保留先読み予告を実現でき、遊技者の遊技に対する興趣を向上させることができる。
【０１６４】
以上、本発明者によってなされた発明を実施形態に基づいて具体的に説明したが、本発明は上記実施形態に限定されるものではなく、その要旨を逸脱しない範囲で変更可能である。
【０１６５】
例えば、上記実施形態では、保留先読み予告を伴う一連の特図変動表示ゲーム中の第２始動入賞に基づく抽選の結果が大当たりとなる場合、設定された保留先読み予告は特図２変動表示ゲームにおいて特定結果が導出されることで完結することとなるが、実際には保留先読み予告を設定する契機となった特図１始動記憶に対応する変動表示ゲームは特別遊技状態の終了後に実行されるため、そのゲームにおいて保留先読み予告を実行するようにしてもよい。
このとき、特別遊技状態中に新たに第２始動記憶が保留されると、これらの第２始動記憶に対応する変動表示ゲームが、第１始動記憶に対応する変動表示ゲームに先立って実行されるため、これらを含めて新たな連続変動パターンを設定しなおすのが望ましい。
【０１６６】
すなわち、遊技機１００が備える連続変動パターン設定手段（演出制御装置４０）は、連続変動パターンによる変動表示ゲームの実行中であって、この連続変動パターンを設定する契機となった前記第１始動記憶に係る変動パターンによる変動表示ゲームが開始される前に、第２始動権利が新たに発生し、この第２始動権利に基づく抽選の結果が特定結果となり、利益付与手段により発生した特別遊技状態が終了した後に、連続変動パターンを設定する契機となった第１始動記憶に係る第１変動パターンによる変動表示ゲームに先立って変動表示ゲームが実行されることとなる第１又は第２始動記憶に係る第１又は第２変動パターンを、新たな連続変動パターンに変更する。
これにより、大当たり終了後の変動表示ゲームの開始が、大当たり前の連続変動パターンを引きずらず（保留先読み予告が途中から開始されない）、新たな連続変動パターンにより開始されることとなるので、遊技者に違和感を与えることがなくなる。
【０１６７】
また、保留先読み予告を設定する契機となった特図１始動記憶に係る抽選結果が当たりの場合にだけ、上述した制御をするようにしてもよい。
これにより、特別遊技状態終了後に保留先読み予告が発生した時に大当たりとなる可能性が格段に高くなるので、遊技者の遊技に対する興趣を向上させることができる。
【０１６８】
また例えば、上記実施形態では、盤側連続予告表示装置７１により保留先読み予告に係る連続変動数を表示する場合について説明したが、枠側連続予告表示装置７２により保留先読み予告に係る連続変動数を表示することもできる。例えば、枠側連続予告表示装置７２において、保留先読み予告が進行するごとに発光色を変更したり、点灯／点滅態様を変化させたりすることで、段階的に期待感が高まる演出を実現できる。
【０１６９】
また、上記実施形態の遊技機１００は、保留先読み予告を実行可能に構成されているが、１回の変動表示ゲームにおいて、特定の図柄の並びで一時的に停止した後、再び図柄変動と停止を行う予告演出（いわゆる擬似連続予告）を実行可能としてもよい。
この場合、盤側連続予告表示装置７１において、疑似連続ゲーム数を表示させるようにしてもよい。例えば、保留先読み予告では、連続変動数分だけ発光部７１ａ〜７１ｄが点灯され、保留先読み予告の進行に伴い上から順に消灯させるようにしているので、擬似連続予告では、擬似連続予告の進行に伴い下から順に点灯させるようにすればよい。
【０１７０】
図２７は、盤側連続予告表示装置７１における擬似連続予告を伴う変動表示ゲームの一例について示す説明図である。図２７では、２回の擬似連続予告を伴って大当たりとなる場合について示している。
図２７（ａ）では、変動表示中の特図変動表示ゲームが一端停止され、ハズレを示す結果態様（例えば、「５５６」）が表示されている。また、擬似連続予告が実行されるので、擬似連続予告１回目に対応する盤側連続予告表示装置７１（発光部７１ａ）が点灯されている。これにより、遊技者は擬似連続予告が実行されることを知得できる。なお、擬似連続予告が行われない場合には、盤側連続予告表示装置７１は点灯されない。
【０１７１】
図２７（ｂ）では、特図１変動表示ゲームが再始動され、擬似連１回め（最初から数えて２変動目）の特図変動表示ゲームが行われている。
図２７（ｃ）では、再度ハズレを示す結果態様（例えば、「７６５」）が表示されている。また、擬似連続予告２回目に対応する発光部７１ｂが点灯されている。
図２７（ｄ）では、特図１変動表示ゲームが再始動され、擬似連２回目（最初から数えて３変動目）の特図変動表示ゲームが行われている。
図２７（ｅ）では、大当たりを示す結果態様（例えば、「７７７」）が表示されている。
盤側連続予告表示装置７１は、４つの発光部７１ａ〜７１ｄを有しているので、擬似連４回目まで表示することができる。そして、この擬似連が４回又はそれ以上継続した場合、つまり最初から数えて５変動目以降の変動表示ゲームでは、必ず大当たりを示す結果態様が導出されるようにしてもよい。
【０１７２】
このように、遊技機１００が備える変動パターン設定手段（遊技制御装置３０）は、第１又は第２変動パターンの１つを所定数に分割し、擬似的に複数の変動表示ゲームを生じさせる変動パターンとする擬似連続変動パターン設定手段を有し、連続変動数表示装置（盤側連続予告表示装置７１、枠側連続予告装置７２）は、擬似連続変動パターン設定手段によって設定された擬似連続変動パターンのゲーム数（擬似連数）を報知する。
【０１７３】
保留先読み予告と擬似連続予告に係る演出表示を同一の連続変動表示装置で行うことにより、限られた演出部材を有効に利用して多彩な演出を実現できる。
また、保留先読み予告に係る点灯色と、擬似連続予告に係る点灯色を異ならせた上で、点灯／消灯態様を上述した保留先読み予告と同様にすれば、液晶表示装置５０で行われている予告演出が何れなのかを遊技者に容易に認識させることができる。そして、遊技者に擬似連が何回続くかを認識させることで、大当たりに対する期待感を段階的に高めることができる。遊技者にとっては、期待度の高い変動表示ゲームまでに心の準備をすることができるので、遊技に対する興趣が向上する。
【０１７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１７５】
１００  遊技機
２４    特図１始動口（第１始動口）
２５    特図２始動口（第２始動口）
２６    第１大入賞口（大入賞口）
６１    第２第入賞口（大入賞口）
３０      遊技制御装置（抽選手段、変動パターン設定手段、保留手段、変動表示指示手段、利益付与手段）
４０      演出制御装置（変動パターン設定手段）
５０      液晶表示装置（変動表示装置）
【図１】
2010194166.tif 000003
【図２】
2010194166.tif 000004
【図３】
2010194166.tif 000005
【図４】
2010194166.tif 000006
【図５】
2010194166.tif 000007
【図６】
2010194166.tif 000008
【図７】
2010194166.tif 000009
【図８】
2010194166.tif 000010
【図９】
2010194166.tif 000011
【図１０】
2010194166.tif 000012
【図１１】
2010194166.tif 000013
【図１２】
2010194166.tif 000014
【図１３】
2010194166.tif 000015
【図１４】
2010194166.tif 000016
【図１５】
2010194166.tif 000017
【図１６】
2010194166.tif 000018
【図１７】
2010194166.tif 000019
【図１８】
2010194166.tif 000020
【図１９】
2010194166.tif 000021
【図２０】
2010194166.tif 000022
【図２１】
2010194166.tif 000023
【図２２】
2010194166.tif 000024
【図２３】
2010194166.tif 000025
【図２４】
2010194166.tif 000026
【図２５】
2010194166.tif 000027
【図２６】
2010194166.tif 000028
【図２７】
2010194166.tif 000029